(57)【特許請求の範囲】
【請求項１】
システムメッセージ構成および前記システムメッセージの反復回数要件情報を取得し、前記システムメッセージ構成および前記システムメッセージの前記反復回数要件情報に従って構成情報を決定するように構成された、決定部であって、前記構成情報は、システム・メッセージ・ウィンドウにおけるシステムメッセージ伝送構成を指示するのに使用され、前記システムメッセージ伝送構成は、システムメッセージが送信されるときに使用されるサブフレームに関する情報を含む、決定部と、
前記構成情報によって指示されるサブフレームにおいてシステムメッセージを、送信するように構成された、送信部と、
を含み、
前記システムメッセージ構成は、前記システム・メッセージ・ウィンドウのウィンドウ長の構成および/またはシステムメッセージ周期の構成を含む、ネットワーク側デバイス。
【請求項２】
通知部をさらに含み、
前記通知部は端末デバイスに前記構成情報を通知するように構成されている、
請求項1に記載のネットワーク側デバイス。
【請求項３】
前記決定部は、前記ネットワーク側デバイスと端末デバイスとによって合意された構成規則に従って前記構成情報を決定するように特に構成されている、
請求項1に記載のネットワーク側デバイス。
【請求項４】
前記送信部は、前記システムメッセージ伝送構成が前記システムメッセージは前記システム・メッセージ・ウィンドウにおけるすべての利用可能なサブフレームにおいて伝送されるべきであることを指示するときに、前記システム・メッセージ・ウィンドウにおけるすべての前記利用可能なサブフレームにおいて前記システムメッセージを送信するように特に構成されている、
請求項1から3のいずれか一項に記載のネットワーク側デバイス。
【請求項５】
前記反復回数要件情報は、前記システムメッセージの送信回数を指示し、
前記決定部は、前記システム・メッセージ・ウィンドウのウィンドウ長および前記送信回数に従って、前記システムメッセージが送信されるときに使用されるサブフレームに関する情報を決定するように特に構成されており、前記サブフレームに関する前記情報は、前記サブフレームの少なくとも1つの位置を含む、
請求項1から3のいずれか一項に記載のネットワーク側デバイス。
【請求項６】
前記決定部は、前記ウィンドウ長および前記送信回数に従って、前記システムメッセージを送信するために複数の連続したシステム・メッセージ・ウィンドウからサブフレームを選択するように特に構成されている、
請求項5に記載のネットワーク側デバイス。
【請求項７】
システムメッセージ構成および前記システムメッセージの反復回数要件情報を取得し、前記システムメッセージ構成および前記システムメッセージの前記反復回数要件情報に従って構成情報を決定するように構成された、決定部であって、前記構成情報は、システム・メッセージ・ウィンドウにおけるシステムメッセージ伝送構成を指示するのに使用され、前記システムメッセージ伝送構成は、システムメッセージが送信されるときに使用されるサブフレームに関する情報を含む、決定部と、
前記構成情報によって指示されるサブフレームにおいて、基地局デバイスによって送信されたシステムメッセージを受信するように構成された、受信部と、
を含み、
前記システムメッセージ構成は、前記システム・メッセージ・ウィンドウのウィンドウ長の構成および/またはシステムメッセージ周期の構成を含む、端末デバイス。
【請求項８】
前記決定部は、前記端末デバイスと前記基地局デバイスとによって合意された構成規則に従って前記構成情報を決定するように特に構成されている、
請求項7に記載の端末デバイス。
【請求項９】
前記受信部は、構成情報を決定する前に、前記構成情報に関するものであり、前記基地局デバイスによって送信された通知を受信するようにさらに構成され、
前記決定部は、前記通知に従って前記構成情報を決定するように特に構成される、
請求項7に記載の端末デバイス。
【請求項１０】
前記受信部は、前記システムメッセージ伝送構成が前記システムメッセージは前記システム・メッセージ・ウィンドウにおけるすべての利用可能なサブフレームにおいて伝送されるべきであることを指示するときに、前記システム・メッセージ・ウィンドウにおけるすべての前記利用可能なサブフレームにおいて、前記基地局デバイスによって送信された前記システムメッセージを受信するように特に構成されている、
請求項7から9のいずれか一項に記載の端末デバイス。
【請求項１１】
前記反復回数要件情報は、前記システムメッセージの送信回数を指示し、
前記決定部は、前記システム・メッセージ・ウィンドウのウィンドウ長および前記送信回数に従って、前記基地局デバイスが前記システムメッセージを送信するときに使用されるサブフレームに関する情報であってサブフレームの少なくとも1つの位置を含むサブフレームに関する情報を決定するように特に構成されており、前記サブフレームに関する前記情報は、前記サブフレームの少なくとも1つの位置を含む、
請求項7から9のいずれか一項に記載の端末デバイス。
【請求項１２】
前記決定部は、前記ウィンドウ長および前記送信回数に従って、前記基地局デバイスによって送信された前記システムメッセージを受信するために複数の連続したシステム・メッセージ・ウィンドウからサブフレームを選択する、ように特に構成されている、
請求項11に記載の端末デバイス。
【請求項１３】
請求項1から6のいずれか一項に記載のネットワーク側デバイスと、請求項7から12のいずれか一項に記載の端末デバイスとを含む通信システム。
【請求項１４】
システムメッセージのためのカバレッジ拡張伝送方法であって、
システムメッセージ構成および前記システムメッセージの反復回数要件情報を取得し、前記システムメッセージ構成および前記システムメッセージの前記反復回数要件情報に従って構成情報を決定するステップであって、前記構成情報はシステム・メッセージ・ウィンドウにおけるシステムメッセージ伝送構成を指示するのに使用され、前記システムメッセージ伝送構成は、システムメッセージが送信されるときに使用されるサブフレームに関する情報を含む、ステップと、
前記構成情報によって指示されるサブフレームにおいてシステムメッセージを送信するステップと、
を含み、
前記システムメッセージ構成は、前記システム・メッセージ・ウィンドウのウィンドウ長の構成および/またはシステムメッセージ周期の構成を含む、方法。
【請求項１５】
構成情報を決定する前記ステップの後に、
端末デバイスに前記構成情報を通知するステップ、
をさらに含む、請求項14に記載の方法。
【請求項１６】
構成情報を決定する前記ステップは、
ネットワーク側デバイスと端末デバイスとによって合意された構成規則に従って前記構成情報を決定するステップ、
を含む、請求項14に記載の方法。
【請求項１７】
構成情報を決定する前記ステップは、
システムメッセージ構成を取得するステップであって、前記システムメッセージ構成は前記システム・メッセージ・ウィンドウのウィンドウ長の構成およびシステムメッセージ周期の構成を含む、システムメッセージ構成を取得するステップと、
前記取得したシステムメッセージ構成に従って前記構成情報を決定するステップと、
を含む、請求項14から16のいずれか一項に記載の方法。
【請求項１８】
前記反復回数要件情報は、前記システムメッセージの送信回数を指示し、
前記システム・メッセージ・ウィンドウのウィンドウ長および前記送信回数に従って、前記システムメッセージが送信されるときに使用される前記サブフレームに関する前記情報を決定するステップであって、前記サブフレームに関する前記情報は、前記サブフレームの少なくとも1つの位置を含む、ステップ
を含む、請求項14から17のいずれか一項に記載の方法。
【請求項１９】
前記ウィンドウ長および前記送信回数に従って、前記システムメッセージが送信されるときに使用される前記サブフレームに関する前記情報を決定する前記ステップは、
前記ウィンドウ長および前記送信回数に従って、前記システムメッセージを送信するために複数の連続したシステム・メッセージ・ウィンドウからサブフレームを選択するステップ
を含む、請求項18に記載の方法。
【請求項２０】
システムメッセージのためのカバレッジ拡張伝送方法であって、
システムメッセージ構成および前記システムメッセージの反復回数要件情報を取得し、前記システムメッセージ構成および前記システムメッセージの前記反復回数要件情報に従って構成情報を決定するステップであって、前記構成情報はシステム・メッセージ・ウィンドウにおけるシステムメッセージ伝送構成を指示するのに使用され、前記システムメッセージ伝送構成は、システムメッセージが送信されるときに使用されるサブフレームに関する情報を含む、ステップと、
前記構成情報によって指示されるサブフレームにおいて、基地局デバイスによって送信されたシステムメッセージを受信するステップと、
を含み、
前記システムメッセージ構成は、前記システム・メッセージ・ウィンドウのウィンドウ長の構成および/またはシステムメッセージ周期の構成を含む、方法。
【請求項２１】
構成情報を決定する前記ステップの前に、前記方法は、
前記構成情報に関するものであり、前記基地局デバイスによって送信された通知を受信するステップをさらに含み、
構成情報を決定する前記ステップは、前記通知に従って構成情報を決定するステップを含む、請求項20に記載の方法。
【請求項２２】
構成情報を決定する前記ステップは、
端末デバイスと前記基地局デバイスとによって合意された構成規則に従って前記構成情報を決定するステップ、
を含む、請求項20に記載の方法。
【請求項２３】
前記システムメッセージ伝送構成が前記システムメッセージは前記システム・メッセージ・ウィンドウにおけるすべての利用可能なサブフレームにおいて伝送されるべきであることを指示するときに、前記構成情報で指示されるリソース上で、基地局デバイスによって送信されたシステムメッセージを受信する前記ステップは、
前記システム・メッセージ・ウィンドウにおけるすべての前記利用可能なサブフレームにおいて、前記基地局デバイスによって送信された前記システムメッセージを受信するステップ
を含む、請求項20から22のいずれか一項に記載の方法。
【請求項２４】
前記反復回数要件情報は、前記システムメッセージの送信回数を指示し、
前記システム・メッセージ・ウィンドウのウィンドウ長および前記送信回数に従って、前記基地局デバイスが前記システムメッセージを送信するときに使用される前記サブフレームに関する前記情報を決定するステップであって、前記サブフレームに関する前記情報は、前記サブフレームの少なくとも1つの位置を含む、ステップ
含む、請求項20から23のいずれか一項に記載の方法。
【請求項２５】
前記ウィンドウ長および前記送信回数に従って、前記基地局デバイスが前記システムメッセージを送信するときに使用される前記サブフレームに関する前記情報を決定する前記ステップは、
前記ウィンドウ長および前記送信回数に従って、前記基地局デバイスによって送信された前記システムメッセージを受信するために複数の連続したシステム・メッセージ・ウィンドウからサブフレームを選択するステップ
を含む、請求項24に記載の方法。
【請求項２６】
コンピュータに、請求項14から25のいずれか一項に記載の方法を実行させるためのコンピュータプログラム。
【発明の詳細な説明】
【技術分野】
【０００１】
本発明は通信技術の分野に関し、詳細には、システムメッセージのためのカバレッジ拡張伝送装置、カバレッジ拡張伝送システム、およびカバレッジ拡張伝送方法に関する。
【背景技術】
【０００２】
モノのインターネットとは、人とモノとの間の相互接続およびモノとモノとの間の相互接続が実現されるように、物質世界に関する情報が、知覚、計算、実行、および通信の特定の能力を有する様々なデバイスを配置することによって取得され、情報の伝送、調整、および処理がネットワークを用いて実現されるネットワークをいう。簡潔には、モノのインターネットは人とモノとの間の相互接続およびモノとモノとの間の相互接続を実現するためのものである。
【０００３】
コンピュータおよびインターネットに続く情報産業の第3の波として認められており、モノのインターネットの発展が大いに期待され、研究所および業界によって高く評価され、尊重されている。加えて、関連規格団体も、モノのインターネットに関連した技術の標準化作業に着手する。マシン・タイプ・コミュニケーション（MTC、Machine Type Communication）がモノのインターネットの用途のうちの1つである。比較的損失の大きいMTCデバイス、例えば地階に位置するMTCデバイスがネットワークにアクセスし、サービスを獲得することができるように、規格団体は移動通信ネットワークカバレッジを拡張し、または最適化するための技術を提案している。信号反復がカバレッジ拡張を実現するための方法のうちの1つである。加えて、異なる環境に位置するMTCデバイスについて異なるカバレッジ拡張度をさらに使用することもでき、例えば、異なる信号反復回数が使用される。
【０００４】
既存のプロトコルによれば、システムメッセージは、マスタ情報ブロック（MIB、Master Information Block）、システム・メッセージ・ブロック システム情報ブロック1（SIB1、System Information Block 1）、および、システム・メッセージ（SI、System Information）・コマンドへカプセル化されたSIB2やSIB3といった様々な他のシステム・メッセージ・ブロック システム情報ブロック（SIB、System Information）を含むことができる。異なるシステムメッセージは異なるメッセージウィンドウにおいて伝送され、システムは、これらのシステムメッセージのメッセージウィンドウ（SI−window、略してシステム・メッセージ・ウィンドウ）のウィンドウ長（si−WindowLength）および周期（si−Period）を定義する。周期は実際には、どれほどの頻度でシステム・メッセージ・ウィンドウが発生するかを定義する。システム・メッセージ・ウィンドウにおいては、システムメッセージを1回または複数回にわたって伝達し、SI−RNTIを用いてスクランブルされた物理ダウンリンク制御チャネル（PDCCH、Physical Downlink Control Channel）上でスケジュールすることができる。端末デバイスも、システム・メッセージ・ウィンドウにおいて、SI−RNTIを用いてスクランブルされたPDCCH上でブラインド検出を行うことによって、伝達されるべきシステムメッセージがあるかどうか判定し、システムメッセージの対応するスケジューリング情報があるかどうか検出する。すなわち、システムメッセージ構成、およびシステム・メッセージ・ウィンドウにおけるシステムメッセージ伝送構成（例えば、システムメッセージがシステム・メッセージ・ウィンドウのどのサブフレームにおいて伝達されるべきかの構成事例）は端末デバイスには知られず、基地局によって決定される。
【０００５】
先行技術の研究および実施の過程においては、本発明の発明者の所見では、カバレッジ拡張について、端末デバイスがシステム・メッセージ・ウィンドウにおけるシステムメッセージ伝送構成を正確に知ることができない場合、これは受信結合操作や受信試行（keep trying）操作といった操作を行う助けにならず、このため端末デバイスの処理の複雑さが増し、カバレッジ拡張効果に影響を及ぼす。
【発明の概要】
【課題を解決するための手段】
【０００６】
本発明の実施形態は、端末デバイスがシステム・メッセージ・ウィンドウにおけるシステムメッセージ伝送構成を正確に知ることができるように、システムメッセージのためのカバレッジ拡張伝送装置、カバレッジ拡張伝送システム、およびカバレッジ拡張伝送方法を提供し、したがってこれは、端末デバイスが続いて受信結合操作や受信試行（keep trying）操作といった操作を行う助けになり、このため端末デバイスの処理の複雑さが低減され、カバレッジ拡張効果が向上する。
【０００７】
第1の態様によれば、本発明の一実施形態は、決定部と送信部とを含む、ネットワーク側デバイスを提供し、
決定部は、システム・メッセージ・ウィンドウにおけるシステムメッセージ伝送構成を指示するのに使用される構成情報を決定するように構成されており、
送信部は、端末デバイスが構成情報に従ってシステムメッセージを受信するように、構成情報によって指示されるリソース上でシステムメッセージを送信するように構成されている。
【０００８】
第1の態様に関連して、第1の可能な実施態様において、システムメッセージ情報のためのネットワーク側デバイスは通知部をさらに含むことができ、
通知部は端末デバイスに構成情報を通知するように構成されている。
【０００９】
第1の態様に関連して、第2の可能な実施態様において、
決定部は、ネットワーク側デバイスと端末デバイスとによって合意された構成規則に従って構成情報を決定するように特に構成されている。
【００１０】
第1の態様、または第1の態様の第1の可能な実施態様もしくは第2の可能な実施態様に関連して、第3の可能な実施態様において、
送信部は、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいてシステムメッセージを送信する、ように特に構成されている。
【００１１】
第1の態様、または第1の態様の第1の可能な実施態様もしくは第2の可能な実施態様に関連して、第4の可能な実施態様において、
決定部は、システム・メッセージ・ウィンドウのウィンドウ長の構成およびシステムメッセージ周期の構成を含むシステムメッセージ構成を取得し、取得したシステムメッセージ構成に従って構成情報を決定する、ように特に構成されている。
【００１２】
第1の態様、または第1の態様の第1の可能な実施態様もしくは第2の可能な実施態様に関連して、第5の可能な実施態様において、
決定部は、システムメッセージのカバレッジ拡張要件情報、システムメッセージのカバレッジ拡張レベル情報、システムメッセージの反復回数要件情報、および／または端末デバイスの受信試行回数要件情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する、ように特に構成されている。
【００１３】
第1の態様の第5の可能な実施態様に関連して、第6の可能な実施態様において、
決定部は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定し、決定したシステムメッセージ構成に従って構成情報を決定する、ように特に構成されている。
【００１４】
第1の態様の第5の可能な実施態様に関連して、第7の可能な実施態様において、
決定部は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定し、システム・メッセージ・ウィンドウのウィンドウ長を取得し、ウィンドウ長および送信回数に従って、システムメッセージが送信されるときに使用されるサブフレームに関する情報であってサブフレームの少なくとも1つの位置を含むサブフレームに関する情報を決定する、ように特に構成されている。
【００１５】
第1の態様の第7の可能な実施態様に関連して、第8の可能な実施態様において、
決定部は、ウィンドウ長がN個のシステムメッセージを伝送するのに十分であるときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、Nは送信回数であり、またはそうではなく、ウィンドウ長がN個のシステムメッセージを伝送するのに十分でないときには、決定部は、システム・メッセージ・ウィンドウを拡張し、システムメッセージを送信するために拡張されたシステム・メッセージ・ウィンドウからサブフレームを選択する、ように特に構成されている。
【００１６】
第1の態様の第7の可能な実施態様に関連して、第9の可能な実施態様において、
決定部は、ウィンドウ長および送信回数に従って、システムメッセージを送信するために決定部の複数の連続したシステム・メッセージ・ウィンドウからサブフレームを選択するように特に構成されている。
【００１７】
第1の態様の第7の可能な実施態様に関連して、第10の可能な実施態様において、決定部は、
システムメッセージ周期を取得し、
システムメッセージ周期が事前設定周期閾値を超えるかどうか判定し、
周期が周期閾値を超える場合、ウィンドウ長がN個のシステムメッセージを伝送するのに十分であると判定されたときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、システムメッセージを送信するために拡張されたシステム・メッセージ・ウィンドウからサブフレームを選択し、Nは送信回数であり、あるいはそうではなく、
周期が周期閾値を超えない場合、ウィンドウ長および送信回数に従って、システムメッセージを送信するために複数の連続したシステム・メッセージ・ウィンドウからサブフレームを選択する、
ように特に構成されている。
【００１８】
第1の態様の第7の可能な実施態様に関連して、第11の可能な実施態様において、
決定部は、端末デバイスの受信試行回数要件情報に従って端末デバイスの受信試行回数を決定し、受信試行回数が事前設定閾値より大きいと判定されたときには、システム・メッセージ・ウィンドウを拡張し、ウィンドウ長および送信回数に従って、システムメッセージを送信するために拡張されたシステム・メッセージ・ウィンドウからサブフレームを選択する、ように特に構成されている。
【００１９】
第2の態様によれば、本発明の一実施形態は、決定部と受信部とを含む端末デバイスをさらに提供し、
決定部は、システム・メッセージ・ウィンドウにおけるシステムメッセージ伝送構成を指示するのに使用される構成情報を決定するように構成されており、
受信部は、構成情報によって指示されるリソース上で、基地局デバイスによって送信されたシステムメッセージを受信するように構成されている。
【００２０】
第2の態様に関連して、第1の可能な実施態様において、
受信部は、構成情報が決定される前に、構成情報に関するものであり、基地局デバイスによって送信された通知を受信する、ようにさらに構成されており、
決定部は通知に従って構成情報を決定するように特に構成されている。
【００２１】
第2の態様に関連して、第2の可能な実施態様において、
決定部は、端末デバイスと基地局デバイスとによって合意された構成規則に従って構成情報を決定するように特に構成されている。
【００２２】
第2の態様の第1の可能な実施態様または第2の可能な実施態様に関連して、第3の可能な実施態様において、
受信部は、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいて、基地局デバイスによって送信されたシステムメッセージを受信する、ように特に構成されている。
【００２３】
第2の態様の第2の可能な実施態様に関連して、第4の可能な実施態様において、
決定部は、システム・メッセージ・ウィンドウのウィンドウ長の構成およびシステムメッセージ周期の構成を含むシステムメッセージ構成を取得し、取得したシステムメッセージ構成に従って構成情報を決定する、ように特に構成されている。
【００２４】
第2の態様の第2の可能な実施態様に関連して、第5の可能な実施態様において、
決定部は、システムメッセージのカバレッジ拡張要件情報、システムメッセージのカバレッジ拡張レベル情報、システムメッセージの反復回数要件情報、および／または端末デバイスの受信試行回数要件情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する、ように特に構成されている。
【００２５】
第2の態様の第5の可能な実施態様に関連して、第6の可能な実施態様において、
決定部は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定し、決定したシステムメッセージに従って構成情報を決定する、ように特に構成されている。
【００２６】
第2の態様の第5の可能な実施態様に関連して、第7の可能な実施態様において、
決定部は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定し、システム・メッセージ・ウィンドウのウィンドウ長を取得し、ウィンドウ長および送信回数に従って、基地局デバイスがシステムメッセージを送信するときに使用されるサブフレームに関する情報であってサブフレームの少なくとも1つの位置を含むサブフレームに関する情報を決定する、ように特に構成されている。
【００２７】
第2の態様の第7の可能な実施態様に関連して、第8の可能な実施態様において、
決定部は、ウィンドウ長がN個のシステムメッセージを伝送するのに十分であるときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、Nは送信回数であり、またはそうではなく、ウィンドウ長がN個のシステムメッセージを伝送するのに十分でないときには、決定部は、システム・メッセージ・ウィンドウを拡張し、基地局デバイスによって送信されたシステムメッセージを受信するために拡張されたシステム・メッセージ・ウィンドウからサブフレームを選択する、ように特に構成されている。
【００２８】
第2の態様の第7の可能な実施態様に関連して、第9の可能な実施態様において、
決定部は、ウィンドウ長および送信回数に従って、基地局デバイスによって送信されたシステムメッセージを受信するために複数の連続したシステム・メッセージ・ウィンドウからサブフレームを選択する、ように特に構成されている。
【００２９】
第2の態様の第7の可能な実施態様に関連して、第10の可能な実施態様において、決定部は、
システムメッセージ周期を取得し、
システムメッセージ周期が事前設定周期閾値を超えるかどうか判定し、
周期が周期閾値を超える場合、ウィンドウ長がN個のシステムメッセージを伝送するのに十分であると判定されたときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、基地局デバイスによって送信されたシステムメッセージを受信するために拡張されたシステム・メッセージ・ウィンドウからサブフレームを選択し、Nは送信回数であり、あるいはそうではなく、
周期が周期閾値を超えない場合、ウィンドウ長および送信回数に従って、基地局デバイスによって送信されたシステムメッセージを受信するために複数の連続したシステム・メッセージ・ウィンドウからサブフレームを選択する、
ように特に構成されている。
【００３０】
第2の態様の第7の可能な実施態様に関連して、第11の可能な実施態様において、
決定部は、端末デバイスの受信試行回数要件情報に従って端末デバイスの受信試行回数を決定し、受信試行回数が事前設定閾値より大きいと判定されたときには、システム・メッセージ・ウィンドウを拡張し、ウィンドウ長および送信回数に従って、基地局デバイスによって送信されたシステムメッセージを受信するために拡張されたシステム・メッセージ・ウィンドウからサブフレームを選択する、ように特に構成されている。
【００３１】
第3の態様によれば、本発明の一実施形態は、本発明の実施形態において提供される任意のネットワーク側デバイスと任意の端末デバイスとを含む通信システムをさらに提供する。
【００３２】
第4の態様によれば、本発明の一実施形態は、システムメッセージのためのカバレッジ拡張伝送方法をさらに提供し、本方法は、
構成情報を決定するステップであって、構成情報はシステム・メッセージ・ウィンドウにおけるシステムメッセージ伝送構成を指示するのに使用される、構成情報を決定するステップと、
端末デバイスが構成情報に従ってシステムメッセージを受信するように、構成情報によって指示されるリソース上でシステムメッセージを送信するステップと、
を含む。
【００３３】
第4の態様に関連して、第1の可能な実施態様において、構成情報を決定するステップの後に、本方法は、
端末デバイスに構成情報を通知するステップ、
をさらに含む。
【００３４】
第4の態様に関連して、第2の可能な実施態様において、構成情報を決定するステップは、
ネットワーク側デバイスと端末デバイスとによって合意された構成規則に従って構成情報を決定するステップ、
を含む。
【００３５】
第4の態様、または第4の態様の第1の可能な実施態様もしくは第2の可能な実施態様に関連して、第3の可能な実施態様において、システムメッセージ伝送構成がシステムメッセージはシステム・メッセージ・ウィンドウにおけるすべての利用可能なサブフレームにおいて伝送されるべきであることを指示するときに、構成情報によって指示されるリソース上でシステムメッセージを送信するステップは、
システム・メッセージ・ウィンドウにおけるすべての利用可能なサブフレームにおいてシステムメッセージを送信するステップ、
を含む。
【００３６】
第4の態様、または第4の態様の第1の可能な実施態様もしくは第2の可能な実施態様に関連して、第4の可能な実施態様において、構成情報を決定するステップは、
システムメッセージ構成を取得するステップであって、システムメッセージ構成はシステム・メッセージ・ウィンドウのウィンドウ長の構成およびシステムメッセージ周期の構成を含む、システムメッセージ構成を取得するステップと、
取得したシステムメッセージ構成に従って構成情報を決定するステップと、
を含む。
【００３７】
第4の態様、または第4の態様の第1の可能な実施態様もしくは第2の可能な実施態様に関連して、第5の可能な実施態様において、構成情報を決定するステップは、
システムメッセージのカバレッジ拡張要件情報、システムメッセージのカバレッジ拡張レベル情報、システムメッセージの反復回数要件情報、および／または端末デバイスの受信試行回数要件情報を取得するステップと、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定するステップと、
を含む。
【００３８】
第4の態様の第5の可能な実施態様に関連して、第6の可能な実施態様において、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定するステップは、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定するステップと、
決定したシステムメッセージ構成に従って構成情報を決定するステップと、
を含む。
【００３９】
第4の態様の第5の可能な実施態様に関連して、第7の可能な実施態様において、システムメッセージ伝送構成が、システムメッセージが送信されるときに使用されるサブフレームに関する情報を含む場合、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定するステップは、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定するステップと、
システム・メッセージ・ウィンドウのウィンドウ長を取得するステップと、
ウィンドウ長および送信回数に従って、システムメッセージが送信されるときに使用されるサブフレームに関する情報を決定するステップであって、サブフレームに関する情報はサブフレームの少なくとも1つの位置を含む、ウィンドウ長および送信回数に従って、システムメッセージが送信されるときに使用されるサブフレームに関する情報を決定するステップと、
を含む。
【００４０】
第4の態様の第7の可能な実施態様に関連して、第8の可能な実施態様において、ウィンドウ長および送信回数に従って、システムメッセージが送信されるときに使用されるサブフレームに関する情報を決定するステップは、
ウィンドウ長がN個のシステムメッセージを伝送するのに十分である場合、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択するステップであって、Nは送信回数である、ウィンドウ長がN個のシステムメッセージを伝送するのに十分である場合、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択するステップ、または、
ウィンドウ長がN個のシステムメッセージを伝送するのに十分でない場合、システム・メッセージ・ウィンドウを拡張し、システムメッセージを送信するために拡張されたシステム・メッセージ・ウィンドウからサブフレームを選択するステップ、
を含む。
【００４１】
第4の態様の第7の可能な実施態様に関連して、第9の可能な実施態様において、ウィンドウ長および送信回数に従って、システムメッセージが送信されるときに使用されるサブフレームに関する情報を決定するステップは、
ウィンドウ長および送信回数に従って、システムメッセージを送信するために複数の連続したシステム・メッセージ・ウィンドウからサブフレームを選択するステップ、
を含む。
【００４２】
第4の態様の第7の可能な実施態様に関連して、第10の可能な実施態様において、本方法は、
システムメッセージ周期を取得するステップ、
をさらに含み、
ウィンドウ長および送信回数に従って、システムメッセージが送信されるときに使用されるサブフレームに関する情報を決定するステップは、
システムメッセージ周期が事前設定周期閾値を超えるかどうか判定するステップと、
周期が周期閾値を超える場合、ウィンドウ長がN個のシステムメッセージを伝送するのに十分であると判定されたときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、システムメッセージを送信するために拡張されたシステム・メッセージ・ウィンドウからサブフレームを選択するステップであって、Nは送信回数である、周期が周期閾値を超える場合、ウィンドウ長がN個のシステムメッセージを伝送するのに十分であると判定されたときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、システムメッセージを送信するために拡張されたシステム・メッセージ・ウィンドウからサブフレームを選択するステップと、あるいは、
周期が周期閾値を超えない場合、ウィンドウ長および送信回数に従って、システムメッセージを送信するために複数の連続したシステム・メッセージ・ウィンドウからサブフレームを選択するステップと、
を含む。
【００４３】
第4の態様の第7の可能な実施態様に関連して、第11の可能な実施態様において、ウィンドウ長および送信回数に従って、システムメッセージが送信されるときに使用されるサブフレームに関する情報を決定するステップの前に、本方法は、
端末デバイスの受信試行回数要件情報に従って端末デバイスの受信試行回数を決定し、受信試行回数が事前設定閾値より大きいと判定されたときには、システム・メッセージ・ウィンドウを拡張するステップ、
をさらに含み、
ウィンドウ長および送信回数に従って、システムメッセージが送信されるときに使用されるサブフレームに関する情報を決定するステップは、
ウィンドウ長および送信回数に従って、システムメッセージを送信するために拡張されたシステム・メッセージ・ウィンドウからサブフレームを選択するステップ、
を含む。
【００４４】
第5の態様によれば、本発明の一実施形態は、システムメッセージのためのカバレッジ拡張伝送方法をさらに提供し、本方法は、
構成情報を決定するステップであって、構成情報はシステム・メッセージ・ウィンドウにおけるシステムメッセージ伝送構成を指示するのに使用される、構成情報を決定するステップと、
構成情報によって指示されるリソース上で、基地局デバイスによって送信されたシステムメッセージを受信するステップと、
を含む。
【００４５】
第5の態様に関連して、第1の可能な実施態様において、構成情報を決定するステップの前に、本方法は、
構成情報に関するものであり、基地局デバイスによって送信された通知を受信するステップ、
をさらに含み、
構成情報を決定するステップは、通知に従って構成情報を決定するステップ、を含む。
【００４６】
第5の態様に関連して、第2の可能な実施態様において、構成情報を決定するステップは、
端末デバイスと基地局デバイスとによって合意された構成規則に従って構成情報を決定するステップ、
を含む。
【００４７】
第5の態様の第1の可能な実施態様または第2の可能な実施態様に関連して、第3の可能な実施態様において、システムメッセージ伝送構成がシステムメッセージはシステム・メッセージ・ウィンドウにおけるすべての利用可能なサブフレームにおいて伝送されるべきであることを指示するときに、構成情報によって指示されるリソース上で、基地局デバイスによって送信されたシステムメッセージを受信するステップは、
システム・メッセージ・ウィンドウにおけるすべての利用可能なサブフレームにおいて、基地局デバイスによって送信されたシステムメッセージを受信するステップ、
を含む。
【００４８】
第5の態様の第2の可能な実施態様に関連して、第4の可能な実施態様において、端末デバイスと基地局デバイスとによって合意された構成規則に従って構成情報を決定するステップは、
システムメッセージ構成を取得するステップであって、システムメッセージ構成はシステム・メッセージ・ウィンドウのウィンドウ長の構成およびシステムメッセージ周期の構成を含む、システムメッセージ構成を取得するステップと、
取得したシステムメッセージ構成に従って構成情報を決定するステップと、
を含む。
【００４９】
第5の態様の第2の可能な実施態様に関連して、第5の可能な実施態様において、端末デバイスと基地局デバイスとによって合意された構成規則に従って構成情報を決定するステップは、
システムメッセージのカバレッジ拡張要件情報、システムメッセージのカバレッジ拡張レベル情報、システムメッセージの反復回数要件情報、および／または端末デバイスの受信試行回数要件情報を取得するステップと、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定するステップと、
を含む。
【００５０】
第5の態様の第5の可能な実施態様に関連して、第6の可能な実施態様において、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定するステップは、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定するステップと、
決定したシステムメッセージに従って構成情報を決定するステップと、
を含む。
【００５１】
第5の態様の第5の可能な実施態様に関連して、第7の可能な実施態様において、システムメッセージ伝送構成が、基地局デバイスがシステムメッセージを送信するときに使用されるサブフレームに関する情報を含む場合、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定するステップは、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定するステップと、
システム・メッセージ・ウィンドウのウィンドウ長を取得するステップと、
ウィンドウ長および送信回数に従って、基地局デバイスがシステムメッセージを送信するときに使用されるサブフレームに関する情報を決定するステップであって、サブフレームに関する情報はサブフレームの少なくとも1つの位置を含む、ウィンドウ長および送信回数に従って、基地局デバイスがシステムメッセージを送信するときに使用されるサブフレームに関する情報を決定するステップと、
を含む。
【００５２】
第5の態様の第7の可能な実施態様に関連して、第8の可能な実施態様において、ウィンドウ長および送信回数に従って、基地局デバイスがシステムメッセージを送信するときに使用されるサブフレームに関する情報を決定するステップは、
ウィンドウ長がN個のシステムメッセージを伝送するのに十分である場合、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択するステップであって、Nは送信回数である、ウィンドウ長がN個のシステムメッセージを伝送するのに十分である場合、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択するステップ、または、
ウィンドウ長がN個のシステムメッセージを伝送するのに十分でない場合、システム・メッセージ・ウィンドウを拡張し、基地局デバイスによって送信されたシステムメッセージを受信するために拡張されたシステム・メッセージ・ウィンドウからサブフレームを選択するステップ、
を含む。
【００５３】
第5の態様の第7の可能な実施態様に関連して、第9の可能な実施態様において、ウィンドウ長および送信回数に従って、基地局デバイスがシステムメッセージを送信するときに使用されるサブフレームに関する情報を決定するステップは、
ウィンドウ長および送信回数に従って、基地局デバイスによって送信されたシステムメッセージを受信するために複数の連続したシステム・メッセージ・ウィンドウからサブフレームを選択するステップ、
を含む。
【００５４】
第5の態様の第7の可能な実施態様に関連して、第10の可能な実施態様において、本方法は、
システムメッセージ周期を取得するステップ、
をさらに含み、
ウィンドウ長および送信回数に従って、基地局デバイスがシステムメッセージを送信するときに使用されるサブフレームに関する情報を決定するステップは、
システムメッセージ周期が事前設定周期閾値を超えるかどうか判定するステップと、
周期が周期閾値を超える場合、ウィンドウ長がN個のシステムメッセージを伝送するのに十分であると判定されたときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、基地局デバイスによって送信されたシステムメッセージを受信するために拡張されたシステム・メッセージ・ウィンドウからサブフレームを選択するステップであって、Nは送信回数である、周期が周期閾値を超える場合、ウィンドウ長がN個のシステムメッセージを伝送するのに十分であると判定されたときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、基地局デバイスによって送信されたシステムメッセージを受信するために拡張されたシステム・メッセージ・ウィンドウからサブフレームを選択するステップと、あるいは、
周期が周期閾値を超えない場合、ウィンドウ長および送信回数に従って、基地局デバイスによって送信されたシステムメッセージを受信するために複数の連続したシステム・メッセージ・ウィンドウからサブフレームを選択するステップと、
を含む。
【００５５】
第5の態様の第7の可能な実施態様に関連して、第11の可能な実施態様において、ウィンドウ長および送信回数に従って、基地局デバイスがシステムメッセージを送信するときに使用されるサブフレームに関する情報を決定するステップの前に、本方法は、
端末デバイスの受信試行回数要件情報に従って端末デバイスの受信試行回数を決定し、受信試行回数が事前設定閾値より大きいと判定されたときには、システム・メッセージ・ウィンドウを拡張するステップ、
をさらに含み、
ウィンドウ長および送信回数に従って、基地局デバイスがシステムメッセージを送信するときに使用されるサブフレームに関する情報を決定するステップは、ウィンドウ長および送信回数に従って、基地局デバイスによって送信されたシステムメッセージを受信するために拡張された連続したシステム・メッセージ・ウィンドウからサブフレームを選択するステップ、を含む。
【００５６】
第6の態様によれば、本発明の一実施形態は、プロセッサと、データを記憶するように構成されたメモリと、データを受信し、送信するように構成された受信送信インターフェースと、を含む、基地局デバイスをさらに提供し、
プロセッサは、システム・メッセージ・ウィンドウにおけるシステムメッセージ伝送構成を指示するのに使用される構成情報を決定し、構成情報によって指示されるリソース上でシステムメッセージを送信するように受信送信インターフェースを制御する、ように構成されており、
受信送信インターフェースは、端末デバイスが構成情報に従ってシステムメッセージを受信するように、プロセッサの制御下で、構成情報によって指示されるリソース上でシステムメッセージを送信するように構成されている。
【００５７】
第6の態様に関連して、第1の可能な実施態様において、
プロセッサは、端末デバイスに構成情報を通知するよう受信送信インターフェースを制御するようにさらに構成されており、
受信送信インターフェースは、プロセッサの制御下で端末デバイスに構成情報を通知するように構成されている。
【００５８】
第6の態様に関連して、第2の可能な実施態様において、
プロセッサは、基地局デバイスと端末デバイスとによって合意された構成規則に従って構成情報を決定するように特に構成されている。
【００５９】
第6の態様、または第6の態様の第1の可能な実施態様もしくは第2の可能な実施態様に関連して、第3の可能な実施態様において、
プロセッサは、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいてシステムメッセージを送信するよう受信送信インターフェースを制御する、ように特に構成されており、
受信送信インターフェースは、プロセッサの制御下でシステム・メッセージ・ウィンドウにおけるすべての利用可能なサブフレームにおいてシステムメッセージを送信するように特に構成されている。
【００６０】
第6の態様、または第6の態様の第1の可能な実施態様もしくは第2の可能な実施態様に関連して、第4の可能な実施態様において、
プロセッサは、システム・メッセージ・ウィンドウのウィンドウ長の構成およびシステムメッセージ周期の構成を含むシステムメッセージ構成を取得し、取得したシステムメッセージ構成に従って構成情報を決定する、ように特に構成されている。
【００６１】
第6の態様、または第6の態様の第1の可能な実施態様もしくは第2の可能な実施態様に関連して、第5の可能な実施態様において、
プロセッサは、システムメッセージのカバレッジ拡張要件情報、システムメッセージのカバレッジ拡張レベル情報、システムメッセージの反復回数要件情報、および／または端末デバイスの受信試行回数要件情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する、ように特に構成されている。
【００６２】
第6の態様の第5の可能な実施態様に関連して、第6の可能な実施態様において、
プロセッサは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定し、決定したシステムメッセージに従って構成情報を決定する、ように特に構成されている。
【００６３】
第6の態様の第5の可能な実施態様に関連して、第7の可能な実施態様において、
プロセッサは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定し、システム・メッセージ・ウィンドウのウィンドウ長を取得し、ウィンドウ長および送信回数に従って、基地局デバイスがシステムメッセージを送信するときに使用されるサブフレームに関する情報であってサブフレームの少なくとも1つの位置を含むサブフレームに関する情報を決定する、ように特に構成されている。
【００６４】
第7の態様によれば、本発明の一実施形態は、プロセッサと、データを記憶するように構成されたメモリと、データを受信し、送信するように構成された受信送信インターフェースと、を含む、端末デバイスをさらに提供し、
プロセッサは、システム・メッセージ・ウィンドウにおけるシステムメッセージ伝送構成を指示するのに使用される構成情報を決定するように構成されており、
受信送信インターフェースは、構成情報によって指示されるリソース上で、基地局デバイスによって送信されたシステムメッセージを受信するように構成されている。
【００６５】
第7の態様に関連して、第1の可能な実施態様において、
受信送信インターフェースは、構成情報に関するものであり、基地局デバイスによって送信された通知を受信するようにさらに構成されており、
プロセッサは通知に従って構成情報を決定するように特に構成されている。
【００６６】
第7の態様に関連して、第2の可能な実施態様において、
プロセッサは、端末デバイスと基地局デバイスとによって合意された構成規則に従って構成情報を決定するように特に構成されている。
【００６７】
第7の態様、または第7の態様の第1の可能な実施態様もしくは第2の可能な実施態様に関連して、第3の可能な実施態様において、
受信送信インターフェースは、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいて、基地局デバイスによって送信されたシステムメッセージを受信する、ように特に構成されている。
【００６８】
第7の態様の第2の可能な実施態様に関連して、第4の可能な実施態様において、
プロセッサは、システム・メッセージ・ウィンドウのウィンドウ長の構成およびシステムメッセージ周期の構成を含むシステムメッセージ構成を取得し、取得したシステムメッセージ構成に従って構成情報を決定する、ように特に構成されている。
【００６９】
第7の態様の第2の可能な実施態様に関連して、第5の可能な実施態様において、
プロセッサは、システムメッセージのカバレッジ拡張要件情報、システムメッセージのカバレッジ拡張レベル情報、システムメッセージの反復回数要件情報、および／または端末デバイスの受信試行回数要件情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する、ように特に構成されている。
【００７０】
第7の態様の第5の可能な実施態様に関連して、第6の可能な実施態様において、
プロセッサは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定し、決定したシステムメッセージに従って構成情報を決定する、ように特に構成されている。
【００７１】
第7の態様の第5の可能な実施態様に関連して、第7の可能な実施態様において、
プロセッサは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定し、システム・メッセージ・ウィンドウのウィンドウ長を取得し、ウィンドウ長および送信回数に従って、基地局デバイスがシステムメッセージを送信するときに使用されるサブフレームに関する情報であってサブフレームの少なくとも1つの位置を含むサブフレームに関する情報を決定する、ように特に構成されている。
【００７２】
本発明の実施形態においては、構成情報が決定され、構成情報はシステム・メッセージ・ウィンドウにおけるシステムメッセージ伝送構成を指示するのに使用され、次いで、端末デバイスが構成情報に従ってシステムメッセージを受信するように、システムメッセージが構成情報によって指示されるリソース上で送信される、という解決策が用いられる。本解決策では、端末デバイスはシステム・メッセージ・ウィンドウにおけるシステムメッセージ伝送構成を正確に知ることができ、したがってこれは、端末デバイスが受信結合操作や受信試行（keep trying）操作といった操作を続いて行う助けになり、このため端末デバイスの処理の複雑さを低減させ、カバレッジ拡張効果を向上させることができる。
【００７３】
本発明の実施形態における技術的解決策をより明確に説明するために、以下で、これらの実施形態を説明するのに必要な添付の図面について簡単に述べる。明らかに、以下の説明における添付の図面は単に本発明のいくつかの実施形態を示すにすぎず、当業者は、これら添付の図面から難なく他の図面をさらに導出することができる。
【図面の簡単な説明】
【００７４】
【図１ａ】本発明の一実施形態によるネットワーク側デバイスの概略的構造図である。
【図１ｂ】本発明の一実施形態によるシステム・メッセージ・ウィンドウにおける構成の概略図である。
【図１ｃ】本発明の一実施形態によるシステム・メッセージ・ウィンドウにおける構成の別の概略図である。
【図２】本発明の一実施形態による端末デバイスの概略的構造図である。
【図３】本発明の一実施形態によるシステムメッセージのためのカバレッジ拡張伝送方法の流れ図である。
【図４】本発明の一実施形態によるシステムメッセージのためのカバレッジ拡張伝送方法の別の流れ図である。
【図５】本発明の一実施形態によるシステムメッセージのためのカバレッジ拡張伝送方法の別の流れ図である。
【図６】本発明の一実施形態によるシステムメッセージのためのカバレッジ拡張伝送方法の別の流れ図である。
【図７】本発明の一実施形態による基地局デバイスの概略的構造図である。
【図８】本発明の一実施形態による端末デバイスの概略的構造図である。
【発明を実施するための形態】
【００７５】
以下で、本発明の実施形態における添付の図面に関連して、本発明の実施形態における技術的解決策を明確に説明する。明らかに、説明される実施形態は、本発明の実施形態の全部ではなく、一部であるにすぎない。本発明の実施形態に基づいて当業者によって難なく得られる他のすべての実施形態は、本発明の保護範囲内に含まれるものとする。
【００７６】
本発明の実施形態は、システムメッセージのためのカバレッジ拡張伝送装置、カバレッジ拡張伝送システム、およびカバレッジ拡張伝送方法を提供する。以下で詳細な説明を個別に記述する。
【００７７】
実施形態1
本発明の本実施形態はネットワーク側デバイスを提供する。図1aに示すように、本ネットワーク側デバイスは、決定部101と送信部102とを含む。
【００７８】
決定部101は構成情報を決定するように構成されており、構成情報はシステム・メッセージ・ウィンドウにおけるシステムメッセージ伝送構成を指示するのに使用される。
【００７９】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【００８０】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。例えば、システムメッセージが1つのシステム・メッセージ・ウィンドウにおいて2回伝送される必要がある場合に、システム・メッセージ・ウィンドウのウィンドウ長が10ミリ秒（ms、millisecond）である場合、システムメッセージを2回送信するために、10msの長さにおける10個のサブフレーム（1msは1つのサブフレームの長さでもある）から任意の2つの利用可能なサブフレームを選択することができる。利用可能なサブフレームとは以下のサブフレームを除くサブフレームをいう。
（1）無線フレーム（RF、Radio Frame）における、システムフレーム番号（SFN、System Frame Number）mod  2＝0という条件を満たすサブフレーム5、1つの無線フレームは10個のサブフレーム、すなわち10msである、
（2）マルチキャストブロードキャスト単一周波数ネットワーク（MBSFN、Multicast Broadcast Single Frequency Network）における任意のサブフレーム、および
（3）時分割複信（TDD、Time Division Duplexing）システムにおける任意のアップリンクサブフレーム。
【００８１】
システム・メッセージ・ウィンドウにおける、システムメッセージの伝送に使用されるサブフレームの番号は列挙法で記載することができる。
【００８２】
送信部102は、端末デバイスが構成情報に従ってシステムメッセージを受信するように、構成情報によって指示されるリソース上でシステムメッセージを送信するように構成されている。
【００８３】
構成情報は、ネットワーク側デバイスと端末デバイスとの間の合意という方法で端末デバイスが知ることもでき、ネットワーク側デバイスが直接決定された後で端末デバイスに通知することもできる。構成情報が、ネットワーク側デバイスと端末デバイスとの間の合意という方法で端末デバイスに知られる場合、
決定部101は、ネットワーク側デバイスと端末デバイスによって合意された構成規則に従って構成情報を決定するように特に構成することができる。
【００８４】
端末デバイスに直接通知するという方法が使用される場合、ネットワーク側デバイスは以下のように通知部をさらに含むことができる。
【００８５】
通知部は端末デバイスに構成情報を通知するように構成されている。
【００８６】
システムメッセージ伝送構成がシステムメッセージはシステム・メッセージ・ウィンドウにおけるすべての利用可能なサブフレームにおいて伝送されるべきであることを指示する場合、その場合システムメッセージは、システム・メッセージ・ウィンドウにおけるすべての利用可能なサブフレームにおいて送信することができる。すなわち、
送信部102は、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいてシステムメッセージを送信する、ように特に構成されている。
【００８７】
システム情報伝送構成がシステムメッセージはシステム・メッセージ・ウィンドウにおけるいくつかのサブフレームにおいて伝送されるべきであることを指示する場合、その場合システムメッセージは、これらの指定されたサブフレームにおいて送信することができる。すなわち、
送信部102は、選択されたサブフレームにおいてシステムメッセージを送信するように特に構成されている。
【００８８】
構成情報（すなわち、システム・メッセージ・ウィンドウにおけるシステムメッセージ伝送構成）を決定するときに、決定部101は複数の方法を用いることができ、これらは具体的には例えば以下のとおりとすることができる。
【００８９】
（1）第1の方法：
【００９０】
システムメッセージ構成をまず取得することができ、次いで、構成情報がシステムメッセージ構成に従って決定される。すなわち、
決定部101は、システムメッセージ構成を取得し、取得したシステムメッセージ構成に従って構成情報を決定するように特に構成することができる。
【００９１】
例えば、システムメッセージ構成と構成情報（すなわち、システムメッセージ伝送構成）との対応関係をまず定義することができ、次いでシステムメッセージ伝送構成が取得された後で、対応関係を問い合わせることによって対応する構成情報（すなわち、システムメッセージ伝送構成）を獲得することができる。
【００９２】
前述のシステムメッセージ構成と構成情報（すなわち、システムメッセージ伝送構成）との対応関係は、特定の構成規則に従ってネットワーク側デバイスと端末デバイスとが決定することもでき、ネットワーク側デバイスが決定し、端末デバイスに通知することもできる。例えば、ネットワーク側デバイスは、システムメッセージ構成と構成情報（すなわち、システムメッセージ伝送構成）との対応関係を記録するのに使用されるマッピングテーブルを決定し、次いで端末デバイスにマッピングテーブルを通知することができる。
【００９３】
システムメッセージ構成は、システム・メッセージ・ウィンドウのウィンドウ長の構成（si−WindowLength）、システムメッセージ周期の構成（si−Periodicity）などを含むことができる。加えて、システムメッセージ構成はシステムメッセージ更新周期などをさらに含むこともできる。例えば、システム・メッセージ・ウィンドウのウィンドウ長は（ms1、ms2、ms5、ms10、ms15、ms20、ms40）などとすることができ、システム・メッセージ・ウィンドウの周期は（rf8、rf16、rf32、rf64、rf128、rf256、rf512）などとすることができ、rfは無線フレーム（Radio Frame）を指す。
【００９４】
異なるシステムメッセージが異なるシステムメッセージ構成を有する場合もあり、同じシステムメッセージ構成を有する場合もあり、同じシステムメッセージのシステムメッセージ構成を実際の応用における要件に従って調整することもでき、すなわち、基地局は、システムメッセージ構成を構成するために、要件に従ってシステム・メッセージ・ウィンドウの適正なウィンドウ長および適正なシステムメッセージ周期を選択することができることに留意すべきである。
【００９５】
（2）第2の方法：
【００９６】
具体的には、システムメッセージのカバレッジ拡張要件情報、システムメッセージのカバレッジ拡張レベル情報、システムメッセージの反復回数要件情報、および／または端末デバイスの受信試行回数要件情報といった情報をまず取得することができ（すなわち、システムメッセージのカバレッジ拡張要件情報、システムメッセージのカバレッジ拡張レベル情報、システムメッセージの反復回数要件情報、および／または端末デバイスの受信試行回数要件情報のうちの1つまたは複数が取得され）、次いで、システム・メッセージ・ウィンドウにおけるシステムメッセージ伝送構成が、システムメッセージのカバレッジ拡張要件情報、システムメッセージのカバレッジ拡張レベル情報、システムメッセージの反復回数要件情報、および／または端末デバイスの受信試行回数要件情報といった取得された情報に従って決定される。すなわち、
決定部101は、システムメッセージのカバレッジ拡張要件情報、システムメッセージのカバレッジ拡張レベル情報、システムメッセージの反復回数要件情報、および／または端末デバイスの受信試行回数要件情報といった情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステム・メッセージ・ウィンドウにおけるシステムメッセージ伝送構成を決定する、ように特に構成することができる。
【００９７】
構成情報（すなわち、システムメッセージ伝送構成）と様々な要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係は、特定の構成規則に従って、ネットワーク側デバイスと端末デバイスとが決定することもでき、ネットワーク側デバイスが決定し、端末デバイスに通知することもできる。例えば、ネットワーク側デバイスは、「構成情報（すなわち、システムメッセージ伝送構成）と要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係」を記録するのに使用されるマッピングテーブルを決定し、次いで端末デバイスにマッピングテーブルを通知することができる。
【００９８】
加えて、システムメッセージのカバレッジ拡張要件情報、システムメッセージのカバレッジ拡張レベル情報、システムメッセージの反復回数要件情報、および／または端末デバイスの受信試行回数要件情報といった情報は、複数のポリシーを用いて設定することができること、例えば、システムメッセージのカバレッジ拡張要件情報、システムメッセージのカバレッジ拡張レベル情報、システムメッセージの反復回数要件情報、および／または端末デバイスの受信試行回数要件情報といった情報は、システムメッセージ専用に設定することもできることにも留意すべきである。あるいは、端末デバイスのカバレッジ拡張レベルを設定することもでき、システムメッセージのカバレッジ拡張レベルが端末デバイスのカバレッジ拡張レベルに従って決定され、次いで情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）が、システムメッセージのカバレッジ拡張レベルに従って決定される。ここでは詳細を繰り返さない。
【００９９】
システムメッセージのカバレッジ拡張要件情報、システムメッセージのカバレッジ拡張レベル情報、システムメッセージの反復回数要件情報、および／または端末デバイスの受信試行回数要件情報などは以下のように具体的に記述することができる。
【０１００】
（1）カバレッジ拡張要件：
【０１０１】
システム・メッセージ・ウィンドウにおけるシステムメッセージ伝送構成はシステムメッセージのカバレッジ拡張要件にさらに関連付けることができ、異なるカバレッジ拡張要件はシステム・メッセージ・ウィンドウにおける異なるシステムメッセージ伝送構成に対応しうる。例えば、カバレッジ拡張要件1について、システムメッセージがシステム・メッセージ・ウィンドウにおいて2回伝送される必要がある場合には、2つのサブフレームがシステムメッセージを送信するためにシステム・メッセージ・ウィンドウから選択される必要があり、カバレッジ拡張要件2について、システムメッセージがシステム・メッセージ・ウィンドウにおいて5回伝送される必要がある場合には、5つのサブフレームがシステムメッセージを送信するためにシステム・メッセージ・ウィンドウから選択される必要がある。システムメッセージがただ1つのカバレッジ拡張要件を有する場合には、この項目を省き、または無視することができる。
【０１０２】
（2）カバレッジ拡張レベル：
【０１０３】
カバレッジ拡張レベルとカバレッジ拡張要件とは1対1の対応関係とすることができ、1つのカバレッジ拡張要件は1つのカバレッジ拡張レベルに対応し、または1つのカバレッジ拡張要件が複数のカバレッジ拡張レベルに対応していてもよい。
【０１０４】
（3）反復回数の要件：
【０１０５】
信号反復はカバレッジ拡張技術のうちの1つである。信号反復回数が異なれば満たされるカバレッジ拡張要件も異なり、対応するカバレッジ拡張レベルも異なりうる。
【０１０６】
（4）端末デバイスの受信試行回数の要件：
【０１０７】
端末デバイスの受信試行（keep trying）もカバレッジ拡張技術である。端末デバイスの受信試行回数が異なれば提供される拡張利得も異なりうる。
【０１０８】
2つのカバレッジ拡張技術として、信号反復（すなわち、反復回数要件情報）と「端末デバイスの受信試行」とを組み合わせて使用することができる。異なる反復回数と端末デバイスの異なる受信試行回数とを組み合わせると、満たされるカバレッジ拡張要件も異なりうる。
【０１０９】
具体的には、システム・メッセージ・ウィンドウが構成されるときに、システム・メッセージ・ウィンドウにおいてカバレッジ拡張要件、カバレッジ拡張レベル、反復回数の要件、および／または端末デバイスの受信試行回数の要件も構成することができる。例えば、図1bに示すように、図1bはシステム・メッセージ・ウィンドウにおける構成の概略図である。図からわかるように、この構成は、システム・メッセージ・ウィンドウにおいてn個のカバレッジ拡張要件、m個のカバレッジ拡張レベル、x個の反復回数の要件、y個の端末デバイスの受信試行回数の要件、z個のシステムメッセージ構成、およびc個のシステムメッセージ伝送構成を含むことができ、n、m、x、y、z、およびcは実際の応用における要件に従って設定することができる。
【０１１０】
図1bのすべてのフィールドの中で、「任意選択」と記されたフィールドは、そのフィールドが任意選択の項目であることを指示し、実際の応用における要件に従って追加し、または削除することができる。
【０１１１】
任意選択で、システム・メッセージ・ウィンドウにおける構成を図1cとして示すこともでき、すなわち、システム・メッセージ・ウィンドウにおけるカバレッジ拡張要件、カバレッジ拡張レベル、反復回数の要件、端末デバイスの受信試行回数の要件、システムメッセージ構成、およびシステムメッセージ伝送構成の様々な組み合わせがすべて提示されており、＃sijはサブフレームsijを指す。
【０１１２】
構成情報（すなわち、システム・メッセージ・ウィンドウにおけるシステムメッセージ伝送構成）を決定するときに、決定部101は、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従ってシステムメッセージ構成をまず決定し、次いで、決定したシステムメッセージ構成に従って構成情報を決定することもでき、または、構成情報と、システムメッセージのカバレッジ拡張要件情報、システムメッセージのカバレッジ拡張レベル情報、システムメッセージの反復回数要件情報、および／もしくは端末デバイスの受信試行回数要件情報といった情報との対応関係を事前設定し、システムメッセージのカバレッジ拡張要件情報、システムメッセージのカバレッジ拡張レベル情報、システムメッセージの反復回数要件情報、および／もしくは端末デバイスの受信試行回数要件情報といった情報を取得した後で、対応関係をサーチすることによって対応する構成情報を決定することもでき、または、システムメッセージ構成を取得し、システムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定することもできる。
すなわち、
決定部101は、取得したシステムメッセージのカバレッジ拡張要件情報、取得したシステムメッセージのカバレッジ拡張レベル情報、取得したシステムメッセージの反復回数要件情報、および／もしくは取得した端末デバイスの受信試行回数要件情報に従ってシステムメッセージ構成を決定し、決定したシステムメッセージ構成に従って構成情報を決定する、ように特に構成することもでき、または、
決定部101は、システムメッセージのカバレッジ拡張要件情報、システムメッセージのカバレッジ拡張レベル情報、システムメッセージの反復回数要件情報、および／もしくは端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定することもでき、または、
決定部101は、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するように特に構成することもでき、これは具体的には以下のとおりとすることができる。
【０１１３】
決定部101は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数（すなわち、システムメッセージの総送信回数）を決定し、システム・メッセージ・ウィンドウのウィンドウ長を取得し、ウィンドウ長および送信回数に従って、システムメッセージが送信されるときに使用されるサブフレームに関する情報を決定する、ように特に構成することができる。
【０１１４】
システム・メッセージ・ウィンドウのウィンドウ長は複数の方法で取得することができる。例えば、システムメッセージ構成を取得することができ、次いで、システム・メッセージ・ウィンドウのウィンドウ長がシステムメッセージ構成から抽出される。
【０１１５】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０１１６】
加えて、システムメッセージを送信するためのサブフレームが選択されるときに、システム・メッセージ・ウィンドウのウィンドウ長がN個のシステムメッセージを伝送するのに十分でない場合、続いて、システムメッセージを送信するために拡張されたシステム・メッセージ・ウィンドウからサブフレームが選択されるように、システム・メッセージ・ウィンドウを拡張することもでき、Nはシステム・メッセージ・ウィンドウにおけるシステムメッセージの送信回数であり、Nは0より大きい整数である。すなわち、
決定部101は、ウィンドウ長（すなわち、システム・メッセージ・ウィンドウのウィンドウ長）がN個のシステムメッセージを伝送するのに十分であるときには、システムメッセージを送信するためにシステム・メッセージ・ウィンドウからサブフレームを選択し、またはそうではなく、ウィンドウ長がN個のシステムメッセージを伝送するのに十分でないときには、システム・メッセージ・ウィンドウを拡張し、システムメッセージを送信するために拡張されたシステム・メッセージ・ウィンドウからサブフレームを選択する、ように特に構成することができる。
【０１１７】
当然ながら、ウィンドウ長（すなわち、システム・メッセージ・ウィンドウのウィンドウ長）がN個のシステムメッセージを伝送するのに十分であるときには、決定部101は、システム・メッセージ・ウィンドウを拡張し、システムメッセージを送信するために拡張されたシステム・メッセージ・ウィンドウからサブフレームを選択することもできる。
【０１１８】
任意選択で、システム・メッセージ・ウィンドウは拡張されない場合もあり、代わりに、システムメッセージを送信するために複数の連続したシステム・メッセージ・ウィンドウからサブフレームが選択される。すなわち、
決定部101は、ウィンドウ長および送信回数に従って、システムメッセージを送信するために決定部の複数の連続したシステム・メッセージ・ウィンドウからサブフレームを選択する、ように特に構成することができる。
【０１１９】
任意選択で、システムメッセージ周期に従って、システム・メッセージ・ウィンドウを拡張する方法を用いるか、それとも複数の連続したシステム・メッセージ・ウィンドウを使用する方法を用いるか決定することもできる。例えば、システムメッセージ周期が長い場合には、システム・メッセージ・ウィンドウを拡張する方法が用いられ、システムメッセージ周期が短い場合には、複数の連続したシステム・メッセージ・ウィンドウを使用する方法が用いられる。すなわち、詳細は以下のとおりとすることができる。
【０１２０】
決定部101は、システムメッセージ周期を取得し、システムメッセージ周期が事前設定周期閾値を超えるかどうか判定し、周期が周期閾値を超える場合、ウィンドウ長がN個のシステムメッセージを伝送するのに十分であると判定されたときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージ（Nはシステムメッセージの送信回数である）を伝送するのに十分でないときには、システム・メッセージ・ウィンドウを拡張し、システムメッセージを送信するために拡張されたシステム・メッセージ・ウィンドウからサブフレームを選択し、あるいはそうではなく、周期が周期閾値を超えない場合、ウィンドウ長および送信回数に従って、システムメッセージを送信するために複数の連続したシステム・メッセージ・ウィンドウからサブフレームを選択する、ように特に構成されている。
【０１２１】
周期閾値は実際の応用における要件に従って設定することができ、ここでは詳細を繰り返さない。
【０１２２】
任意選択で、比較的多くの端末デバイスの受信試行回数が必要とされるときに、元のシステム・メッセージ・ウィンドウのリソースのみが使用される場合には、端末デバイスがシステムメッセージを受信する前に要する時間が比較的長くなる可能性がある。したがって、端末デバイスがシステムメッセージを受信する前に要する時間を短くするために、システム・メッセージ・ウィンドウを拡張することもできる。すなわち、
決定部101は、端末デバイスの受信試行回数要件情報に従って端末デバイスの受信試行回数を決定し、受信試行回数が事前設定閾値より大きいと判定されたときには、システム・メッセージ・ウィンドウを拡張し、システム・メッセージ・ウィンドウのウィンドウ長およびシステム・メッセージ・ウィンドウにおけるシステムメッセージの送信回数に従って、システムメッセージを送信するために拡張されたシステム・メッセージ・ウィンドウからサブフレームを選択する、ように特に構成することができる。
【０１２３】
当然ながら、システム・メッセージ・ウィンドウは拡張され、したがって、システムメッセージを同じシステム・メッセージ・ウィンドウにおいて送信することができる回数も増加し、またその場合には端末デバイスの受信試行回数もしかるべく減少しうる。加えて、端末デバイスの受信試行回数が比較的大きいときには、比較的短いシステムメッセージ周期を選択することもできる。ここでは詳細を繰り返さない。
【０１２４】
ネットワーク側デバイスは特に基地局デバイスといったデバイスに組み込むことができる。
【０１２５】
具体的な実装時には、前述の各部を独立したエンティティとして実装することもでき、無作為に組み合わせ、1つのエンティティまたは複数のエンティティとして実装することもできる。前述の各部の具体的実装について以下の実施形態においてさらに詳細に説明する。
【０１２６】
加えて、説明および処理を容易にするために、本発明においては、SIB1が特別なシステムメッセージとみなされることにさらに留意すべきである。SIB1について、システム・メッセージ・ウィンドウの長さは1であり、システム・メッセージ・ウィンドウの周期は80msである。したがって、本発明の本実施形態におけるシステムメッセージの説明はSIB1の場合にも適用することができる。
【０１２７】
以上からわかるように、本実施形態における決定部101は構成情報を決定することができ、構成情報はシステム・メッセージ・ウィンドウにおけるシステムメッセージ伝送構成を指示するのに使用され、その場合送信部102は、端末デバイスが構成情報に従ってシステムメッセージを受信するように、構成情報によって指示されるリソース上でシステムメッセージを送信する。本解決策では、端末デバイスはシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０１２８】
実施形態2
対応して、本発明の本実施形態は端末デバイスを提供する。図2に示すように、本端末デバイスは以下のように決定部201と受信部202とを含む。
【０１２９】
決定部201は構成情報を決定するように構成されており、構成情報はシステム・メッセージ・ウィンドウにおけるシステムメッセージ伝送構成を指示するのに使用される。
【０１３０】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【０１３１】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。例えば、システムメッセージが1つのシステム・メッセージ・ウィンドウにおいて2回伝送される必要がある場合に、システム・メッセージ・ウィンドウのウィンドウ長が10msである場合、システムメッセージを2回送信するために、10msの長さにおける10個のサブフレーム（1msは1つのサブフレームの長さでもある）から任意の2つの利用可能なサブフレームを選択することができる。
【０１３２】
システム・メッセージ・ウィンドウにおける、システムメッセージの伝送に使用されるサブフレームの番号は列挙法で記載することができる。
【０１３３】
受信部202は、構成情報によって指示されるリソース上で、基地局デバイスによって送信されたシステムメッセージを受信するように構成されている。
【０１３４】
構成情報は、端末デバイスとネットワーク側デバイスとの間の合意という方法で獲得することもでき、基地局デバイスが決定した後で端末デバイスに直接通知することもできる。すなわち、
決定部201は、端末デバイスと基地局デバイスとによって合意された構成規則に従って構成情報を決定するように特に構成することができ、または、
受信部202は、構成情報が決定される前に、構成情報に関するものであり、基地局デバイスによって送信された通知を受信する、ようにさらに構成することができ、
その場合決定部201は、受信部202によって受信された通知（すなわち、構成情報に関する通知）に従って構成情報を決定するように特に構成することができる。
【０１３５】
システムメッセージ伝送構成がシステムメッセージはシステム・メッセージ・ウィンドウにおけるすべての利用可能なサブフレームにおいて伝送されるべきであることを指示する場合、その場合システムメッセージ伝送構成は、基地局デバイスがシステム・メッセージ・ウィンドウにおけるすべての利用可能なサブフレームにおいてシステムメッセージを送信することを指示する。したがって、基地局デバイスによって送信されたシステムメッセージは、システム・メッセージ・ウィンドウにおけるすべての利用可能なサブフレームにおいて受信することができる。すなわち、
受信部202は、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいて、基地局デバイスによって送信されたシステムメッセージを受信する、ように特に構成することができる。
【０１３６】
システム伝送構成がシステムメッセージはシステム・メッセージ・ウィンドウにおけるいくつかのサブフレームにおいて伝送されるべきであることを指示する場合、その場合、基地局デバイスによって送信されたシステムメッセージは、これらの指定されたサブフレームにおいて受信することができる。すなわち、
受信部202は、選択されたサブフレームにおいて、基地局デバイスによって送信されたシステムメッセージを受信するように特に構成することができる。
【０１３７】
構成情報が端末デバイスと基地局デバイスとによって合意された構成規則に従って決定される場合、端末デバイスによって使用される決定方法は、基地局デバイスによって使用される方法との整合性を保つべきである。構成情報（すなわち、システム・メッセージ・ウィンドウにおけるシステムメッセージ伝送構成）を決定するときに、決定部201は、（ただし、その方法が基地局デバイスによって使用される方法との整合性を保つという条件で）以下の方法のうちのどちらかを使用することができ、これは具体的には例えば以下のとおりとすることができる。
【０１３８】
（1）第1の方法：
【０１３９】
システムメッセージ構成をまず取得することができ、次いで、構成情報がシステムメッセージ構成に従って決定される。すなわち、
決定部201は、システムメッセージ構成を取得し、取得したシステムメッセージ構成に従って構成情報を決定するように特に構成されている。
【０１４０】
例えば、システムメッセージ構成と構成情報（すなわち、システムメッセージ伝送構成）との対応関係をまず定義することができ、次いでシステムメッセージ伝送構成が取得された後で、対応関係を問い合わせることによって対応する構成情報（すなわち、システムメッセージ伝送構成）を獲得することができる。
【０１４１】
システムメッセージ構成と構成情報（すなわち、システムメッセージ伝送構成）との前述の対応関係は、特定の構成規則に従って基地局デバイスと端末デバイスとが決定することもでき、ネットワーク側デバイスが決定し、端末デバイスに通知することもできる。例えば、基地局デバイスは、システムメッセージ構成と構成情報（すなわち、システムメッセージ伝送構成）との対応関係を記録するのに使用されるマッピングテーブルを決定し、次いで端末デバイスにマッピングテーブルを通知することができる。
【０１４２】
システムメッセージ構成は、システム・メッセージ・ウィンドウのウィンドウ長の構成（si−WindowLength）、システムメッセージ周期の構成（si−Periodicity）などを含むことができる。加えて、システムメッセージ構成はシステムメッセージ更新周期などをさらに含むこともできる。例えば、システム・メッセージ・ウィンドウのウィンドウ長は（ms1、ms2、ms5、ms10、ms15、ms20、ms40）などとすることができ、システム・メッセージ・ウィンドウの周期は（rf8、rf16、rf32、rf64、rf128、rf256、rf512）などとすることができ、rfは無線フレーム（Radio Frame）を指す。
【０１４３】
異なるシステムメッセージが異なるシステムメッセージ構成を有する場合もあり、同じシステムメッセージ構成を有する場合もあり、同じシステムメッセージのシステムメッセージ構成を実際の応用における要件に従って調整することもでき、すなわち、基地局は、システムメッセージ構成を構成するために、要件に従ってシステム・メッセージ・ウィンドウの適正なウィンドウ長および適正なシステムメッセージ周期を選択することができることに留意すべきである。
【０１４４】
（2）第2の方法：
【０１４５】
具体的には、システムメッセージのカバレッジ拡張要件情報、システムメッセージのカバレッジ拡張レベル情報、システムメッセージの反復回数要件情報、および／または端末デバイスの受信試行回数要件情報といった情報をまず取得することができ、次いで、システム・メッセージ・ウィンドウにおけるシステムメッセージ伝送構成が、システムメッセージのカバレッジ拡張要件情報、システムメッセージのカバレッジ拡張レベル情報、システムメッセージの反復回数要件情報、および／または端末デバイスの受信試行回数要件情報といった取得した情報に従って決定される。すなわち、
決定部201は、システムメッセージのカバレッジ拡張要件情報、システムメッセージのカバレッジ拡張レベル情報、システムメッセージの反復回数要件情報、および／または端末デバイスの受信試行回数要件情報といった情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する、ように特に構成することができる。
【０１４６】
構成情報（すなわち、システムメッセージ伝送構成）と前述の様々な要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係は、特定の構成規則に従って、基地局デバイスと端末デバイスとが決定することもでき、ネットワーク側デバイスが決定し、端末デバイスに通知することもできる。例えば、基地局デバイスは、「構成情報（すなわち、システムメッセージ伝送構成）と要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係」を記録するのに使用されるマッピングテーブルを決定し、次いで端末デバイスにマッピングテーブルを通知することができる。
【０１４７】
加えて、システムメッセージのカバレッジ拡張要件情報、システムメッセージのカバレッジ拡張レベル情報、システムメッセージの反復回数要件情報、および／または端末デバイスの受信試行回数要件情報といった情報は、複数のポリシーを用いて設定することができること、例えば、システムメッセージのカバレッジ拡張要件情報、システムメッセージのカバレッジ拡張レベル情報、システムメッセージの反復回数要件情報、および／または端末デバイスの受信試行回数要件情報といった情報は、システムメッセージ専用に設定することもできることにも留意すべきである。あるいは、端末デバイスのカバレッジ拡張レベルを設定することもでき、システムメッセージのカバレッジ拡張レベルが端末デバイスのカバレッジ拡張レベルに従って決定され、次いで情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）が、システムメッセージのカバレッジ拡張レベルに従って決定される。ここでは詳細を繰り返さない。
【０１４８】
システムメッセージのカバレッジ拡張要件情報、システムメッセージのカバレッジ拡張レベル情報、システムメッセージの反復回数要件情報、および／または端末デバイスの受信試行回数要件情報などの具体的説明については、実施形態1を参照することができ、ここでは詳細を繰り返さない。
【０１４９】
2つのカバレッジ拡張技術として、信号反復と「端末デバイスの受信試行」とを組み合わせて使用することができる。異なる反復回数と端末デバイスの異なる受信試行回数とを組み合わせると、満たされるカバレッジ拡張要件も異なりうる。
【０１５０】
具体的には、システム・メッセージ・ウィンドウが構成されるときに、システム・メッセージ・ウィンドウにおいてカバレッジ拡張要件、カバレッジ拡張レベル、反復回数の要件、および／または端末デバイスの受信試行回数の要件も構成することができる。例えば、図1bに示すように、図1bはシステム・メッセージ・ウィンドウにおける構成の概略図である。図からわかるように、この構成は、システム・メッセージ・ウィンドウにおいてn個のカバレッジ拡張要件、m個のカバレッジ拡張レベル、x個の反復回数の要件、y個の端末デバイスの受信試行回数の要件、z個のシステムメッセージ構成、およびc個のシステムメッセージ伝送構成を含むことができ、n、m、x、y、z、およびcは実際の応用における要件に従って設定することができる。
【０１５１】
図1bのすべてのフィールドの中で、「任意選択」と記されたフィールドは、そのフィールドが任意選択の項目であることを指示し、実際の応用における要件に従って追加し、または削除することができる。
【０１５２】
任意選択で、システム・メッセージ・ウィンドウにおける構成を図1cとして示すこともでき、すなわち、システム・メッセージ・ウィンドウにおけるカバレッジ拡張要件、カバレッジ拡張レベル、反復回数の要件、端末デバイスの受信試行回数の要件、システムメッセージ構成、およびシステムメッセージ伝送構成の様々な組み合わせがすべて提示されており、＃sijはサブフレームsijを指す。
【０１５３】
構成情報（すなわち、システム・メッセージ・ウィンドウにおけるシステムメッセージ伝送構成）を決定するときに、決定部201は、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従ってシステムメッセージ構成をまず決定し、次いで、決定したシステムメッセージ構成に従って構成情報（すなわち、システム・メッセージ・ウィンドウにおけるシステムメッセージ伝送構成）を決定することもでき、または、構成情報と、システムメッセージのカバレッジ拡張要件情報、システムメッセージのカバレッジ拡張レベル情報、システムメッセージの反復回数要件情報、および／もしくは端末デバイスの受信試行回数要件情報といった情報との対応関係を事前設定し、システムメッセージのカバレッジ拡張要件情報、システムメッセージのカバレッジ拡張レベル情報、システムメッセージの反復回数要件情報、および／もしくは端末デバイスの受信試行回数要件情報といった情報を取得した後で、対応関係をサーチすることによって対応する構成情報を決定することもでき、または、システムメッセージ構成を取得し、システムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定することもできる。
すなわち、
決定部201は、取得したシステムメッセージのカバレッジ拡張要件情報、取得したシステムメッセージのカバレッジ拡張レベル情報、取得したシステムメッセージの反復回数要件情報、および／もしくは取得した端末デバイスの受信試行回数要件情報に従ってシステムメッセージ構成を決定し、決定したシステムメッセージに従って構成情報を決定する、ように特に構成することもでき、または、
決定部201は、システムメッセージのカバレッジ拡張要件情報、システムメッセージのカバレッジ拡張レベル情報、システムメッセージの反復回数要件情報、および／もしくは端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定することもでき、または、
決定部201は、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するように特に構成することもでき、これは具体的には以下のとおりとすることができる。
【０１５４】
決定部201は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数（すなわち、システムメッセージの総送信回数）を決定し、システム・メッセージ・ウィンドウのウィンドウ長を取得し、ウィンドウ長および送信回数に従って、基地局デバイスがシステムメッセージを送信するときに使用されるサブフレームに関する情報を決定する、ように特に構成することができる。
【０１５５】
システム・メッセージ・ウィンドウのウィンドウ長は複数の方法で取得することができる。例えば、システムメッセージ構成を取得することができ、次いで、システム・メッセージ・ウィンドウのウィンドウ長がシステムメッセージ構成から抽出される。
【０１５６】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０１５７】
加えて、システムメッセージを送信するためのサブフレームが選択されるときに、システム・メッセージ・ウィンドウのウィンドウ長がN個のシステムメッセージを伝送するのに十分でない場合、続いて、基地局デバイスによって送信されたシステムメッセージを受信するために拡張されたシステム・メッセージ・ウィンドウからサブフレームが選択されるように、システム・メッセージ・ウィンドウを拡張することもでき、Nはシステム・メッセージ・ウィンドウにおけるシステムメッセージの送信回数であり、Nは0より大きい整数である。すなわち、
決定部201は、ウィンドウ長がN個のシステムメッセージを伝送するのに十分であるときには、基地局デバイスによって送信されたシステムメッセージを受信するためにシステム・メッセージ・ウィンドウからサブフレームを選択し、Nはシステムメッセージの送信回数であり、またはそうではなく、ウィンドウ長がN個のシステムメッセージを伝送するのに十分でない場合、決定部201は、システム・メッセージ・ウィンドウを拡張し、基地局デバイスによって送信されたシステムメッセージを受信するために拡張されたシステム・メッセージ・ウィンドウからサブフレームを選択する、ように特に構成することができる。
【０１５８】
当然ながら、ウィンドウ長（すなわち、システム・メッセージ・ウィンドウのウィンドウ長）がN個のシステムメッセージを伝送するのに十分であるときには、決定部201は、システム・メッセージ・ウィンドウを拡張し、基地局デバイスによって送信されたシステムメッセージを受信するために拡張されたシステム・メッセージ・ウィンドウからサブフレームを選択することもできる。
【０１５９】
任意選択で、システム・メッセージ・ウィンドウは拡張されない場合もあり、代わりに、基地局デバイスによって送信されたシステム情報を受信するために複数の連続したシステム・メッセージ・ウィンドウからサブフレームが選択される。すなわち、
決定部201は、ウィンドウ長および送信回数に従って、基地局デバイスによって送信されたシステムメッセージを受信するために複数の連続したシステム・メッセージ・ウィンドウからサブフレームを選択する、ように特に構成することができる。
【０１６０】
任意選択で、システムメッセージ周期に従って、システム・メッセージ・ウィンドウを拡張する方法を用いるか、それとも複数の連続したシステム・メッセージ・ウィンドウを使用する方法を用いるか決定することもできる。例えば、システムメッセージ周期が長い場合には、システム・メッセージ・ウィンドウを拡張する方法が用いられ、システムメッセージ周期が短い場合には、複数の連続したシステム・メッセージ・ウィンドウを使用する方法が用いられる。すなわち、
決定部201は、システムメッセージ周期を取得し、システムメッセージ周期が事前設定周期閾値を超えるかどうか判定し、周期が周期閾値を超える場合、ウィンドウ長がN個のシステムメッセージを伝送するのに十分であると判定されたときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、決定部201は、システム・メッセージ・ウィンドウを拡張し、基地局デバイスによって送信されたシステムメッセージを受信するために拡張されたシステム・メッセージ・ウィンドウからサブフレームを選択し、あるいはそうではなく、周期が周期閾値を超えない場合、ウィンドウ長および送信回数に従って、基地局デバイスによって送信されたシステムメッセージを受信するために複数の連続したシステム・メッセージ・ウィンドウからサブフレームを選択する、ように特に構成することができる。
【０１６１】
周期閾値は実際の応用における要件に従って設定することができ、ここでは詳細を繰り返さない。
【０１６２】
任意選択で、比較的多くの端末デバイスの受信試行回数が必要とされるときに、元のシステム・メッセージ・ウィンドウのリソースのみが使用される場合には、端末デバイスがシステムメッセージを受信する前に要する時間が比較的長くなる可能性がある。したがって、端末デバイスがシステムメッセージを受信する前に要する時間を短くするために、システム・メッセージ・ウィンドウを拡張することもできる。すなわち、
決定部201は、端末デバイスの受信試行回数要件情報に従って端末デバイスの受信試行回数を決定し、受信試行回数が事前設定閾値より大きいと判定されたときには、システム・メッセージ・ウィンドウを拡張し、ウィンドウ長および送信回数に従って、基地局デバイスによって送信されたシステムメッセージを受信するために拡張されたシステム・メッセージ・ウィンドウからサブフレームを選択する、ように特に構成されている。
【０１６３】
当然ながら、システム・メッセージ・ウィンドウは拡張され、したがって、システムメッセージを同じシステム・メッセージ・ウィンドウにおいて送信することができる回数も増加し、またその場合には端末デバイスの受信試行回数もしかるべく減少しうる。加えて、端末デバイスの受信試行回数が比較的大きいときには、比較的短いシステムメッセージ周期を選択することもできる。ここでは詳細を繰り返さない。
【０１６４】
端末デバイスは特に、携帯電話、タブレットコンピュータ、パーソナル・コンピュータといったデバイスとすることができる。
【０１６５】
具体的な実装時には、前述の各部を独立したエンティティとして実装することもでき、無作為に組み合わせ、1つのエンティティまたは複数のエンティティとして実装することもできる。前述の各部の具体的実装について以下の実施形態においてさらに詳細に説明する。
【０１６６】
以上からわかるように、本実施形態における決定部201は構成情報を決定することができ、構成情報はシステム・メッセージ・ウィンドウにおけるシステムメッセージ伝送構成を指示するのに使用され、その場合受信部202は、構成情報によって指示されるリソース上で、基地局デバイスによって送信されたシステムメッセージを受信する。本解決策では、端末デバイスはシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０１６７】
実施形態3
対応して、本発明の本実施形態は、本発明の実施形態において提供される任意のネットワーク側デバイスと任意の端末デバイスとを含む通信システムをさらに提供する。詳細については、前述の実施形態を参照することができる。例えば、ネットワーク側デバイスは特に基地局デバイスである。詳細は以下のとおりとすることができる。
【０１６８】
基地局デバイスは、システム・メッセージ・ウィンドウにおけるシステムメッセージ伝送構成を指示するのに使用される構成情報を決定し、構成情報によって指示されるリソース上でシステムメッセージを送信する、ように構成されている。
【０１６９】
端末デバイスは、システム・メッセージ・ウィンドウにおけるシステムメッセージ伝送構成を指示するのに使用される構成情報を決定し、構成情報によって指示されるリソース上で、基地局デバイスによって送信されたシステムメッセージを受信する、ように構成されている。
【０１７０】
構成情報は、基地局デバイスと端末デバイスとが事前に合意することもでき、または、基地局デバイスが構成した後で端末デバイスに直接通知することもできる。すなわち、
基地局デバイスは、基地局デバイスと端末デバイスとによって合意された構成規則に従って構成情報を決定するように特に構成することができ、
その場合端末デバイスは、端末デバイスと基地局デバイスとによって合意された構成規則に従って構成情報を決定するように構成することができ、または、
基地局デバイスは、構成情報を決定した後で、端末デバイスに構成情報を通知する、ようにさらに構成することもでき、
その場合端末デバイスは、構成情報に関するものであり、基地局デバイスによって送信された通知を受信し、通知に従って構成情報を決定する、ようにさらに構成することができる。
【０１７１】
システムメッセージ伝送構成がシステムメッセージはシステム・メッセージ・ウィンドウにおけるすべての利用可能なサブフレームにおいて伝送されるべきであることを指示する場合、その場合システムメッセージは、システム・メッセージ・ウィンドウにおけるすべての利用可能なサブフレームにおいて送信することができる。すなわち、
基地局デバイスは、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいてシステムメッセージを送信する、ように特に構成することができる。
【０１７２】
その場合端末デバイスは、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいて、基地局デバイスによって送信されたシステムメッセージを受信する、ように特に構成することができる。
【０１７３】
構成情報（すなわち、システム・メッセージ・ウィンドウにおけるシステムメッセージ伝送構成）が決定されるときには、複数の方法を使用することができ、これらは具体的には例えば、以下のとおりとすることができる。
【０１７４】
（1）第1の方法：
【０１７５】
システムメッセージ構成をまず取得することができ、次いで、構成情報がシステムメッセージ構成に従って決定される。すなわち、
基地局デバイスは、システムメッセージ構成を取得し、取得したシステムメッセージ構成に従って構成情報を決定するように特に構成することができる。
【０１７６】
その場合端末デバイスは、システムメッセージ構成を取得し、取得したシステムメッセージ構成に従って構成情報を決定するように特に構成することができる。
【０１７７】
前述のシステムメッセージ構成と構成情報（すなわち、システムメッセージ伝送構成）との対応関係は、特定の構成規則に従って基地局デバイスと端末デバイスとが決定することもでき、基地局デバイスが決定し、端末デバイスに通知することもできる。例えば、基地局デバイスは、システムメッセージ構成と構成情報（すなわち、システムメッセージ伝送構成）との対応関係を記録するのに使用されるマッピングテーブルを決定し、次いで端末デバイスにマッピングテーブルを通知することができる。
【０１７８】
システムメッセージ構成は、システム・メッセージ・ウィンドウのウィンドウ長の構成（si−WindowLength）、システムメッセージ周期の構成（si−Periodicity）などを含むことができる。加えて、システムメッセージ構成はシステムメッセージ更新周期などをさらに含むこともできる。例えば、システム・メッセージ・ウィンドウのウィンドウ長は（ms1、ms2、ms5、ms10、ms15、ms20、ms40）などとすることができ、システム・メッセージ・ウィンドウの周期は（rf8、rf16、rf32、rf64、rf128、rf256、rf512）などとすることができ、rfは無線フレーム（Radio Frame）を指す。
【０１７９】
異なるシステムメッセージが異なるシステムメッセージ構成を有する場合もあり、同じシステムメッセージ構成を有する場合もあり、同じシステムメッセージのシステムメッセージ構成を実際の応用における要件に従って調整することもでき、すなわち、基地局は、システムメッセージ構成を構成するために、要件に従ってシステム・メッセージ・ウィンドウの適正なウィンドウ長および適正なシステムメッセージ周期を選択することができることに留意すべきである。
【０１８０】
（2）第2の方法：
【０１８１】
具体的には、システムメッセージのカバレッジ拡張要件情報、システムメッセージのカバレッジ拡張レベル情報、システムメッセージの反復回数要件情報、および／または端末デバイスの受信試行回数要件情報といった情報をまず取得することができ、次いで、システム・メッセージ・ウィンドウにおけるシステムメッセージ伝送構成が、システムメッセージのカバレッジ拡張要件情報、システムメッセージのカバレッジ拡張レベル情報、システムメッセージの反復回数要件情報、および／または端末デバイスの受信試行回数要件情報といった取得した情報に従って決定される。すなわち、
基地局デバイスは、システムメッセージのカバレッジ拡張要件情報、システムメッセージのカバレッジ拡張レベル情報、システムメッセージの反復回数要件情報、および／または端末デバイスの受信試行回数要件情報といった情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステム・メッセージ・ウィンドウにおけるシステムメッセージ伝送構成を決定する、ように特に構成することができる。
【０１８２】
その場合端末デバイスは、システムメッセージのカバレッジ拡張要件情報、システムメッセージのカバレッジ拡張レベル情報、システムメッセージの反復回数要件情報、および／または端末デバイスの受信試行回数要件情報といった情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステム・メッセージ・ウィンドウにおけるシステムメッセージ伝送構成を決定する、ように特に構成することができる。
【０１８３】
構成情報（すなわち、システムメッセージ伝送構成）と前述の様々な要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係は、特定の構成規則に従って、ネットワーク側デバイスと端末デバイスとが決定することもでき、ネットワーク側デバイスが決定し、端末デバイスに通知することもできる。例えば、ネットワーク側デバイスは、「構成情報（すなわち、システムメッセージ伝送構成）と要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係」を記録するのに使用されるマッピングテーブルを決定し、次いで端末デバイスにマッピングテーブルを通知することができる。
【０１８４】
加えて、システムメッセージのカバレッジ拡張要件情報、システムメッセージのカバレッジ拡張レベル情報、システムメッセージの反復回数要件情報、および／または端末デバイスの受信試行回数要件情報といった情報は、複数のポリシーを用いて設定することができること、例えば、システムメッセージのカバレッジ拡張要件情報、システムメッセージのカバレッジ拡張レベル情報、システムメッセージの反復回数要件情報、および／または端末デバイスの受信試行回数要件情報といった情報は、システムメッセージ専用に設定することもできることにも留意すべきである。あるいは、端末デバイスのカバレッジ拡張レベルを設定することもでき、システムメッセージのカバレッジ拡張レベルが端末デバイスのカバレッジ拡張レベルに従って決定され、次いで情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）が、システムメッセージのカバレッジ拡張レベルに従って決定される。ここでは詳細を繰り返さない。
【０１８５】
システムメッセージのカバレッジ拡張要件情報、システムメッセージのカバレッジ拡張レベル情報、システムメッセージの反復回数要件情報、および／または端末デバイスの受信試行回数要件情報などの具体的説明については、前述の各実施形態を参照することができ、ここでは詳細を繰り返さない。
【０１８６】
2つのカバレッジ拡張技術として、信号反復と「端末デバイスの受信試行」とを組み合わせて使用することができる。異なる反復回数と端末デバイスの異なる受信試行回数とを組み合わせると、満たされるカバレッジ拡張要件も異なりうる。
【０１８７】
具体的には、システム・メッセージ・ウィンドウが構成されるときに、システム・メッセージ・ウィンドウにおいてカバレッジ拡張要件、カバレッジ拡張レベル、反復回数の要件、および／または端末デバイスの受信試行回数の要件も構成することができる。図1bを参照することができ、ここでは詳細を繰り返さない。
【０１８８】
任意選択で、システム・メッセージ・ウィンドウにおける構成を図1cとして示すこともでき、すなわち、システム・メッセージ・ウィンドウにおけるカバレッジ拡張要件、カバレッジ拡張レベル、反復回数の要件、端末デバイスの受信試行回数の要件、システムメッセージ構成、およびシステムメッセージ伝送構成の様々な組み合わせがすべて提示されており、＃sijはサブフレームsijを指す。
【０１８９】
構成情報（すなわち、システム・メッセージ・ウィンドウにおけるシステムメッセージ伝送構成）が決定されるときには、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報に従ってシステムメッセージ構成をまず決定することができ、次いで、決定されたシステムメッセージ構成に従って構成情報が決定され、または、構成情報と、システムメッセージのカバレッジ拡張要件情報、システムメッセージのカバレッジ拡張レベル情報、システムメッセージの反復回数要件情報、および／もしくは端末デバイスの受信試行回数要件情報といった情報との対応関係を事前設定することができ、システムメッセージのカバレッジ拡張要件情報、システムメッセージのカバレッジ拡張レベル情報、システムメッセージの反復回数要件情報、および／もしくは端末デバイスの受信試行回数要件情報といった情報が取得された後で、対応関係をサーチすることによって対応する構成情報が決定され、または、システムメッセージ構成を取得することができ、システムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報を参照して構成情報が決定される。
すなわち、
基地局デバイスは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定し、決定したシステムメッセージ構成に従って構成情報を決定する、ように特に構成することができる。
【０１９０】
その場合端末デバイスは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージ構成を決定し、決定したシステムメッセージ構成に従って構成情報を決定する、ように特に構成することができる。
【０１９１】
あるいは、基地局デバイスは、システムメッセージのカバレッジ拡張要件情報、システムメッセージのカバレッジ拡張レベル情報、システムメッセージの反復回数要件情報、および／または端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／または端末デバイスの受信試行回数要件情報といった取得した情報を参照して構成情報を決定することもできる。
【０１９２】
その場合端末デバイスは、システムメッセージのカバレッジ拡張要件情報、システムメッセージのカバレッジ拡張レベル情報、システムメッセージの反復回数要件情報、および／または端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／または端末デバイスの受信試行回数要件情報といった取得した情報を参照して構成情報を決定することができる。
【０１９３】
あるいは、基地局デバイスは、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するように特に構成することもでき、これは具体的には以下のとおりとすることができる。
【０１９４】
基地局デバイスは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数（すなわち、システムメッセージの総送信回数）を決定し、システム・メッセージ・ウィンドウのウィンドウ長を取得し、ウィンドウ長および送信回数に従って、システムメッセージが送信されるときに使用されるサブフレームに関する情報を決定する。
【０１９５】
その場合端末デバイスは、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するように特に構成することができ、これは具体的には以下のとおりとすることができる。
【０１９６】
端末デバイスは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数（すなわち、システムメッセージの総送信回数）を決定し、システム・メッセージ・ウィンドウのウィンドウ長を取得し、ウィンドウ長および送信回数に従って、システムメッセージが送信されるときに使用されるサブフレームに関する情報を決定する。
【０１９７】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０１９８】
加えて、システムメッセージを送信するためのサブフレームが選択されるときに、システム・メッセージ・ウィンドウのウィンドウ長がN個のシステムメッセージを伝送するのに十分でない場合、続いて、システムメッセージを送信するために拡張されたシステム・メッセージ・ウィンドウからサブフレームが選択されるように、システム・メッセージ・ウィンドウを拡張することもでき、Nはシステム・メッセージ・ウィンドウにおけるシステムメッセージの送信回数であり、Nは0より大きい整数である。すなわち、
基地局デバイスは、ウィンドウ長（すなわち、システム・メッセージ・ウィンドウのウィンドウ長）がN個のシステムメッセージを伝送するのに十分であるときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、システムメッセージを送信するために拡張されたシステム・メッセージ・ウィンドウからサブフレームを選択する、ように特に構成することができる。
【０１９９】
その場合端末デバイスは、ウィンドウ長（すなわち、システム・メッセージ・ウィンドウのウィンドウ長）がN個のシステムメッセージを伝送するのに十分であるときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、基地局デバイスによって送信されたシステムメッセージを受信するために拡張されたシステム・メッセージ・ウィンドウからサブフレームを選択する、ように特に構成することができる。
【０２００】
任意選択で、システム・メッセージ・ウィンドウは拡張されない場合もあり、代わりに、システムメッセージを送信するために複数の連続したシステム・メッセージ・ウィンドウからサブフレームが選択される。すなわち、
基地局デバイスは、ウィンドウ長および送信回数に従って、システムメッセージを送信するために決定部の複数の連続したシステム・メッセージ・ウィンドウからサブフレームを選択する、ように特に構成することができる。
【０２０１】
その場合端末デバイスは、ウィンドウ長および送信回数に従って、基地局デバイスによって送信されたシステムメッセージを受信するために決定部の複数の連続したシステム・メッセージ・ウィンドウからサブフレームを選択するように特に構成することができる。
【０２０２】
任意選択で、システムメッセージ周期に従って、システム・メッセージ・ウィンドウを拡張する方法を用いるか、それとも複数の連続したシステム・メッセージ・ウィンドウを使用する方法を用いるか決定することもできる。例えば、システムメッセージ周期が長い場合には、システム・メッセージ・ウィンドウを拡張する方法が用いられ、システムメッセージ周期が短い場合には、複数の連続したシステム・メッセージ・ウィンドウを使用する方法が用いられる。詳細は以下のとおりとすることができる。
【０２０３】
基地局デバイスは、システムメッセージ周期を取得し、システムメッセージ周期が事前設定周期閾値を超えるかどうか判定し、周期が周期閾値を超える場合、ウィンドウ長がN個のシステムメッセージを伝送するのに十分であると判定されたときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージ（Nはシステムメッセージの送信回数である）を伝送するのに十分でないときには、システム・メッセージ・ウィンドウを拡張し、システムメッセージを送信するために拡張されたシステム・メッセージ・ウィンドウからサブフレームを選択し、あるいはそうではなく、周期が周期閾値を超えない場合、ウィンドウ長および送信回数に従って、システムメッセージを送信するために複数の連続したシステム・メッセージ・ウィンドウからサブフレームを選択する、ように特に構成されている。
【０２０４】
その場合端末デバイスは、システムメッセージ周期を取得し、システムメッセージ周期が事前設定周期閾値を超えるかどうか判定し、周期が周期閾値を超える場合、ウィンドウ長がN個のシステムメッセージを伝送するのに十分であると判定されたときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、基地局デバイスによって送信されたシステムメッセージを受信するために拡張されたシステム・メッセージ・ウィンドウからサブフレームを選択し、あるいはそうではなく、周期が周期閾値を超えない場合、ウィンドウ長および送信回数に従って、基地局デバイスによって送信されたシステム情報を受信するために複数の連続したシステム・メッセージ・ウィンドウからサブフレームを選択する、ように特に構成することができる。
【０２０５】
周期閾値は実際の応用における要件に従って設定することができ、ここでは詳細を繰り返さない。
【０２０６】
任意選択で、比較的多くの端末デバイスの受信試行回数が必要とされるときに、元のシステム・メッセージ・ウィンドウのリソースのみが使用される場合には、端末デバイスがシステムメッセージを受信する前に要する時間が比較的長くなる可能性がある。したがって、端末デバイスがシステムメッセージを受信する前に要する時間を短くするために、システム・メッセージ・ウィンドウを拡張することもできる。すなわち、
基地局デバイスは、端末デバイスの受信試行回数要件情報に従って端末デバイスの受信試行回数を決定し、受信試行回数が事前設定閾値より大きいと判定されたときには、システム・メッセージ・ウィンドウを拡張し、システム・メッセージ・ウィンドウのウィンドウ長およびシステム・メッセージ・ウィンドウにおけるシステムメッセージの送信回数に従って、システムメッセージを送信するために拡張されたシステム・メッセージ・ウィンドウからサブフレームを選択する、ように特に構成することができる。
【０２０７】
その場合端末デバイスは、端末デバイスの受信試行回数要件情報に従って端末デバイスの受信試行回数を決定し、受信試行回数が事前設定閾値より大きいと判定されたときには、システム・メッセージ・ウィンドウを拡張し、システム・メッセージ・ウィンドウのウィンドウ長およびシステム・メッセージ・ウィンドウにおけるシステムメッセージの送信回数に従って、基地局デバイスによって送信されたシステムメッセージを受信するために拡張されたシステム・メッセージ・ウィンドウからサブフレームを選択する、ように特に構成することができる。
【０２０８】
当然ながら、システム・メッセージ・ウィンドウは拡張され、したがって、システムメッセージを同じシステム・メッセージ・ウィンドウにおいて送信することができる回数も増加し、またその場合には端末デバイスの受信試行回数もしかるべく減少しうる。加えて、端末デバイスの受信試行回数が比較的大きいときには、比較的短いシステムメッセージ周期を選択することもできる。ここでは詳細を繰り返さない。
【０２０９】
加えて、本通信システムは別のデバイスをさらに含むこともでき、ここでは詳細を繰り返さない。
【０２１０】
本通信システムの具体的実装については以下の他の実施形態においてさらに詳細に説明する。
【０２１１】
以上からわかるように、本実施形態における通信システムは、構成情報が決定され、構成情報はシステム・メッセージ・ウィンドウにおけるシステムメッセージ伝送構成を指示するのに使用され、次いで、システムメッセージが、構成情報によって指示されるリソース上で送信される、という解決策を用いる。本解決策では、端末デバイスが、通知またはネットワーク側デバイスと端末デバイスとの間の合意という方法で、システムメッセージ構成およびシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０２１２】
加えて、本発明の実施形態は、対応するシステムメッセージのためのカバレッジ拡張伝送方法をさらに提供する。以下では、実施形態4および実施形態5におけるネットワーク側デバイスの観点および端末デバイスの観点からのシステムメッセージのためのカバレッジ拡張伝送方法を個別に説明する。
【０２１３】
実施形態4
本実施形態はネットワーク側デバイスの観点からの説明を提供し、ネットワーク側デバイスは特に基地局デバイスといったデバイスに組み込むことができる。
【０２１４】
システムメッセージのためのカバレッジ拡張伝送方法が提供され、本方法は、構成情報を決定するステップであって、構成情報はシステム・メッセージ・ウィンドウにおけるシステムメッセージ伝送構成を指示するのに使用される、構成情報を決定するステップと、端末デバイスが構成情報に従ってシステムメッセージを受信するように、構成情報によって指示されるリソース上でシステムメッセージを送信するステップと、を含む。
【０２１５】
図3に示すように、具体的手順は以下のとおりとすることができる。
【０２１６】
301．システム・メッセージ・ウィンドウにおけるシステムメッセージ伝送構成を指示するのに使用される構成情報を決定する。
【０２１７】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【０２１８】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。例えば、システムメッセージが1つのシステム・メッセージ・ウィンドウにおいて2回伝送される必要がある場合に、システム・メッセージ・ウィンドウのウィンドウ長が10ミリ秒（ms、millisecond）である場合、システムメッセージを2回送信するために、10msの長さにおける10個のサブフレーム（1msは1つのサブフレームの長さでもある）から任意の2つの利用可能なサブフレームを選択することができる。
【０２１９】
システム・メッセージ・ウィンドウにおける、システムメッセージの伝送に使用されるサブフレームの番号は列挙法で記載することができる。
【０２２０】
構成情報は、ネットワーク側デバイスと端末デバイスとの間の合意という方法で端末デバイスが知ることもでき、ネットワーク側デバイスが直接決定した後で端末デバイスに通知することもできる。構成情報がネットワーク側デバイスと端末デバイスとの間の合意という方法で端末デバイスに知られる場合、「（ステップ301の）構成情報を決定する」ステップは、
ネットワーク側デバイスと端末デバイスとによって合意された構成規則に従って構成情報を決定するステップ、
を特に含むことができる。
【０２２１】
構成情報がネットワーク側デバイスによって直接決定された後で端末デバイスに通知される場合、「（ステップ301の）構成情報を決定する」ステップの後に、本方法は、
端末デバイスに構成情報を通知するステップ、
をさらに含むことができる。
【０２２２】
構成情報（すなわち、システム・メッセージ・ウィンドウにおけるシステムメッセージ伝送構成）が決定されるときには、複数の方法を使用することができ、これらは具体的には例えば、以下のとおりとすることができる。
【０２２３】
（1）第1の方法：
【０２２４】
システムメッセージ構成をまず取得することができ、次いで、構成情報がシステムメッセージ構成に従って決定される。
【０２２５】
例えば、システムメッセージ構成と構成情報（すなわち、システムメッセージ伝送構成）との対応関係をまず定義することができ、次いでシステムメッセージ伝送構成が取得された後で、対応関係を問い合わせることによって対応する構成情報（すなわち、システムメッセージ伝送構成）を獲得することができる。
【０２２６】
前述のシステムメッセージ構成と構成情報（すなわち、システムメッセージ伝送構成）との対応関係は、特定の構成規則に従ってネットワーク側デバイスと端末デバイスとが決定することもでき、ネットワーク側デバイスが決定し、端末デバイスに通知することもできる。例えば、ネットワーク側デバイスは、システムメッセージ構成と構成情報（すなわち、システムメッセージ伝送構成）との対応関係を記録するのに使用されるマッピングテーブルを決定し、次いで端末デバイスにマッピングテーブルを通知することができる。
【０２２７】
システムメッセージ構成は、システム・メッセージ・ウィンドウのウィンドウ長の構成（si−WindowLength）、システムメッセージ周期の構成（si−Periodicity）などを含むことができる。加えて、システムメッセージ構成はシステムメッセージ更新周期などをさらに含むこともできる。例えば、システム・メッセージ・ウィンドウのウィンドウ長は（ms1、ms2、ms5、ms10、ms15、ms20、ms40）などとすることができ、システム・メッセージ・ウィンドウの周期は（rf8、rf16、rf32、rf64、rf128、rf256、rf512）などとすることができ、rfは無線フレームを指す。
【０２２８】
異なるシステムメッセージが異なるシステムメッセージ構成を有する場合もあり、同じシステムメッセージ構成を有する場合もあり、同じシステムメッセージのシステムメッセージ構成を実際の応用における要件に従って調整することもでき、すなわち、基地局は、システムメッセージ構成を構成するために、要件に従ってシステム・メッセージ・ウィンドウの適正なウィンドウ長および適正なシステムメッセージ周期を選択することができることに留意すべきである。
【０２２９】
（2）第2の方法：
【０２３０】
具体的には、システムメッセージのカバレッジ拡張要件情報、システムメッセージのカバレッジ拡張レベル情報、システムメッセージの反復回数要件情報、および／または端末デバイスの受信試行回数要件情報といった情報をまず取得することができ、次いで、システム・メッセージ・ウィンドウにおけるシステムメッセージ伝送構成が、システムメッセージのカバレッジ拡張要件情報、システムメッセージのカバレッジ拡張レベル情報、システムメッセージの反復回数要件情報、および／または端末デバイスの受信試行回数要件情報といった取得した情報に従って決定される。
【０２３１】
構成情報（すなわち、システムメッセージ伝送構成）と前述の様々な要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係は、特定の構成規則に従って、ネットワーク側デバイスと端末デバイスとが決定することもでき、ネットワーク側デバイスが決定し、端末デバイスに通知することもできる。例えば、ネットワーク側デバイスは、「構成情報（すなわち、システムメッセージ伝送構成）と要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係」を記録するのに使用されるマッピングテーブルを決定し、次いで端末デバイスにマッピングテーブルを通知することができる。
【０２３２】
加えて、システムメッセージのカバレッジ拡張要件情報、システムメッセージのカバレッジ拡張レベル情報、システムメッセージの反復回数要件情報、および／または端末デバイスの受信試行回数要件情報といった情報は、複数のポリシーを用いて設定することができること、例えば、システムメッセージのカバレッジ拡張要件情報、システムメッセージのカバレッジ拡張レベル情報、システムメッセージの反復回数要件情報、および／または端末デバイスの受信試行回数要件情報といった情報は、システムメッセージ専用に設定することもできることにも留意すべきである。あるいは、端末デバイスのカバレッジ拡張レベルを設定することもでき、システムメッセージのカバレッジ拡張レベルが端末デバイスのカバレッジ拡張レベルに従って決定され、次いで情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）が、システムメッセージのカバレッジ拡張レベルに従って決定される。ここでは詳細を繰り返さない。
【０２３３】
システムメッセージのカバレッジ拡張要件情報、システムメッセージのカバレッジ拡張レベル情報、システムメッセージの反復回数要件情報、および／または端末デバイスの受信試行回数要件情報などの具体的説明については、前述の各実施形態を参照することができ、ここでは詳細を繰り返さない。
【０２３４】
具体的には、システム・メッセージ・ウィンドウが構成されるときに、システム・メッセージ・ウィンドウにおいてカバレッジ拡張要件、カバレッジ拡張レベル、反復回数の要件、および／または端末デバイスの受信試行回数の要件も構成することができる。例えば、図1bを参照することができ、ここでは詳細を繰り返さない。
【０２３５】
任意選択で、システム・メッセージ・ウィンドウにおける構成を図1cとして示すこともでき、すなわち、システム・メッセージ・ウィンドウにおけるカバレッジ拡張要件、カバレッジ拡張レベル、反復回数の要件、端末デバイスの受信試行回数の要件、システムメッセージ構成、およびシステムメッセージ伝送構成の様々な組み合わせがすべて提示されており、＃sijはサブフレームsijを指す。
【０２３６】
構成情報（すなわち、システム・メッセージ・ウィンドウにおけるシステムメッセージ伝送構成）が決定されるときには、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報に従ってシステムメッセージ構成をまず決定することができ、次いで、決定されたシステムメッセージ構成に従って構成情報が決定され、または、構成情報と、システムメッセージのカバレッジ拡張要件情報、システムメッセージのカバレッジ拡張レベル情報、システムメッセージの反復回数要件情報、および／もしくは端末デバイスの受信試行回数要件情報といった情報との対応関係を事前設定することができ、システムメッセージのカバレッジ拡張要件情報、システムメッセージのカバレッジ拡張レベル情報、システムメッセージの反復回数要件情報、および／もしくは端末デバイスの受信試行回数要件情報といった情報が取得された後で、対応関係をサーチすることによって対応する構成情報が決定され、または、システムメッセージ構成を取得することができ、システムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報を参照して構成情報が決定される。
すなわち、「取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する」ステップは以下のステップを特に含むことができる。
取得したシステムメッセージのカバレッジ拡張要件情報、取得したシステムメッセージのカバレッジ拡張レベル情報、取得したシステムメッセージの反復回数要件情報、および／もしくは取得した端末デバイスの受信試行回数要件情報に従ってシステムメッセージ構成を決定し、決定したシステムメッセージ構成に従って構成情報を決定するステップ、または、
システムメッセージのカバレッジ拡張要件情報、システムメッセージのカバレッジ拡張レベル情報、システムメッセージの反復回数要件情報、および／もしくは端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定するステップ、または、
システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するステップであって、これは具体的には例えば、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定し、システム・メッセージ・ウィンドウのウィンドウ長を取得し、ウィンドウ長および送信回数に従って、システムメッセージが送信されるときに使用されるサブフレームに関する情報を決定するステップ、
とすることができる。
【０２３７】
システム・メッセージ・ウィンドウのウィンドウ長は複数の方法で取得することができる。例えば、システムメッセージ構成を取得することができ、次いで、システム・メッセージ・ウィンドウのウィンドウ長がシステムメッセージ構成から抽出される。
【０２３８】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０２３９】
加えて、システムメッセージを送信するためのサブフレームが選択されるときに、システム・メッセージ・ウィンドウのウィンドウ長がN個のシステムメッセージを伝送するのに十分でない場合、続いて、システムメッセージを送信するために拡張されたシステム・メッセージ・ウィンドウからサブフレームが選択されるように、システム・メッセージ・ウィンドウを拡張することもでき、Nはシステム・メッセージ・ウィンドウにおけるシステムメッセージの送信回数であり、Nは0より大きい整数である。すなわち、「ウィンドウ長および送信回数に従って、システムメッセージが送信されるときに使用されるサブフレームに関する情報を決定する」ステップは、
ウィンドウ長がN個のシステムメッセージを伝送するのに十分である場合、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択するステップ、または、
ウィンドウ長がN個のシステムメッセージを伝送するのに十分でない場合、システム・メッセージ・ウィンドウを拡張し、システムメッセージを送信するために拡張されたシステム・メッセージ・ウィンドウからサブフレームを選択するステップ、
を特に含むことができる。
【０２４０】
任意選択で、システム・メッセージ・ウィンドウは拡張されない場合もあり、代わりに、システムメッセージを送信するために複数の連続したシステム・メッセージ・ウィンドウからサブフレームが選択され、すなわち、「ウィンドウ長および送信回数に従って、システムメッセージが送信されるときに使用されるサブフレームに関する情報を決定することが決定される」ステップは、
ウィンドウ長および送信回数に従って、システムメッセージを送信するために複数の連続したシステム・メッセージ・ウィンドウからサブフレームを選択するステップ、
を特に含むことができる。
【０２４１】
任意選択で、システムメッセージ周期に従って、システム・メッセージ・ウィンドウを拡張する方法を用いるか、それとも複数の連続したシステム・メッセージ・ウィンドウを使用する方法を用いるか決定することもできる。例えば、システムメッセージ周期が長い場合には、システム・メッセージ・ウィンドウを拡張する方法が用いられ、システムメッセージ周期が短い場合には、複数の連続したシステム・メッセージ・ウィンドウを使用する方法が用いられる。すなわち、システムメッセージのためのカバレッジ拡張伝送方法は、
システムメッセージ周期を取得するステップ
をさらに含むことができる。
【０２４２】
その場合、「ウィンドウ長および送信回数に従って、システムメッセージが送信されるときに使用されるサブフレームに関する情報を決定する」ステップは、
システムメッセージ周期が事前設定周期閾値を超えるかどうか判定するステップと、
周期が周期閾値を超える場合、ウィンドウ長がN個のシステムメッセージを伝送するのに十分であると判定されたときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、システムメッセージを送信するために拡張されたシステム・メッセージ・ウィンドウからサブフレームを選択するステップと、あるいは、
周期が周期閾値を超えない場合、ウィンドウ長および送信回数に従って、システムメッセージを送信するために複数の連続したシステム・メッセージ・ウィンドウからサブフレームを選択するステップと、
を特に含むことができる。
【０２４３】
周期閾値は実際の応用における要件に従って設定することができ、ここでは詳細を繰り返さない。
【０２４４】
任意選択で、比較的多くの端末デバイスの受信試行回数が必要とされるときに、元のシステム・メッセージ・ウィンドウのリソースのみが使用される場合には、端末デバイスがシステムメッセージを受信する前に要する時間が比較的長くなる可能性がある。したがって、端末デバイスがシステムメッセージを受信する前に要する時間を短くするために、システム・メッセージ・ウィンドウを拡張することもできる。すなわち、「ウィンドウ長および送信回数に従って、システムメッセージが送信されるときに使用されるサブフレームに関する情報を決定する」ステップの前に、システムメッセージのためのカバレッジ拡張伝送方法は、
端末デバイスの受信試行回数要件情報に従って端末デバイスの受信試行回数を決定し、受信試行回数が事前設定閾値より大きいと判定されたときには、システム・メッセージ・ウィンドウを拡張するステップ、
をさらに含むことができる。
【０２４５】
「ウィンドウ長および送信時間に従って、システムメッセージが送信されるときに使用されるサブフレームに関する情報を決定する」ステップは具体的には、
ウィンドウ長および送信回数に従って、システムメッセージを送信するために拡張されたシステム・メッセージ・ウィンドウからサブフレームを選択するステップ、
である。
【０２４６】
当然ながら、システム・メッセージ・ウィンドウは拡張され、したがって、システムメッセージを同じシステム・メッセージ・ウィンドウにおいて送信することができる回数も増加し、またその場合には端末デバイスの受信試行回数もしかるべく減少しうる。加えて、端末デバイスの受信試行回数が比較的大きいときには、比較的短いシステムメッセージ周期を選択することもできる。ここでは詳細を繰り返さない。
【０２４７】
302．端末デバイスが構成情報に従ってシステムメッセージを受信するように、構成情報によって指示されるリソース上でシステムメッセージを送信する。
【０２４８】
システムメッセージ伝送構成がシステムメッセージはシステム・メッセージ・ウィンドウにおけるすべての利用可能なサブフレームにおいて伝送されるべきであることを指示する場合、その場合システムメッセージは、システム・メッセージ・ウィンドウにおけるすべての利用可能なサブフレームにおいて送信することができる。すなわち、「構成情報によって指示されるリソース上でシステムメッセージを送信する」ステップは具体的には、
システム・メッセージ・ウィンドウにおけるすべての利用可能なサブフレームにおいてシステムメッセージを送信するステップ
とすることができる。
【０２４９】
システムメッセージ伝送構成がシステムメッセージはシステム・メッセージ・ウィンドウにおけるいくつかのサブフレームにおいて伝送されるべきであることを指示する場合、その場合システムメッセージは、これらの指定されたサブフレームにおいて送信することができる。すなわち、「構成情報によって指示されるリソース上でシステムメッセージを送信する」ステップは具体的には、
選択されたサブフレームにおいてシステムメッセージを送信するステップ
とすることができる。
【０２５０】
以上からわかるように、本実施形態においては、構成情報が決定され、構成情報はシステム・メッセージ・ウィンドウにおけるシステムメッセージ伝送構成を指示するのに使用され、次いで、端末デバイスが構成情報に従ってシステムメッセージを受信するように、システムメッセージが構成情報によって指示されるリソース上で送信される、という解決策が用いられる。本解決策では、端末デバイスはシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０２５１】
実施形態5
本実施形態は端末デバイスの観点からの説明を提供し、端末デバイスは特に、携帯電話、タブレットコンピュータ、パーソナル・コンピュータといったデバイスとすることができる。
【０２５２】
システムメッセージのためのカバレッジ拡張伝送方法が提供され、本方法は、構成情報を決定するステップであって、構成情報はシステム・メッセージ・ウィンドウにおけるシステムメッセージ伝送構成を指示するのに使用される、構成情報を決定するステップと、構成情報によって指示されるリソース上で、基地局デバイスによって送信されたシステムメッセージを受信するステップと、を含む。
【０２５３】
図4に示すように、具体的手順は以下のとおりとすることができる。
【０２５４】
401．システム・メッセージ・ウィンドウにおけるシステムメッセージ伝送構成を指示するのに使用される構成情報を決定する。
【０２５５】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【０２５６】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。例えば、システムメッセージが1つのシステム・メッセージ・ウィンドウにおいて2回伝送される必要がある場合に、システム・メッセージ・ウィンドウのウィンドウ長が10ミリ秒（ms、millisecond）である場合、システムメッセージを2回送信するために、10msの長さにおける10個のサブフレーム（1msは1つのサブフレームの長さでもある）から任意の2つの利用可能なサブフレームを選択することができる。
【０２５７】
システム・メッセージ・ウィンドウにおける、システムメッセージの伝送に使用されるサブフレームの番号は列挙法で記載することができる。
【０２５８】
構成情報は、端末デバイスとネットワーク側デバイスとの間の合意という方法で獲得することもでき、基地局デバイスが決定した後で端末デバイスに直接通知することもできる。すなわち、「構成情報を決定する」ステップは具体的には、
端末デバイスと基地局デバイスとによって合意された構成規則に従って構成情報を決定するステップ、
とすることができる。
【０２５９】
あるいは、「構成情報を決定する」ステップの前に、システムメッセージのための本カバレッジ拡張伝送方法は、
構成情報に関するものであり、基地局デバイスによって送信された通知を受信するステップ、
をさらに含むこともできる。
【０２６０】
その場合、「構成情報を決定する」ステップは具体的には、受信した通知（すなわち、構成情報に関する通知）に従って構成情報を決定するステップ、とすることができる。
【０２６１】
構成情報（すなわち、システム・メッセージ・ウィンドウにおけるシステムメッセージ伝送構成）が決定されるときには、複数の方法を使用することができ、これらは具体的には例えば、以下のとおりとすることができる。
【０２６２】
（1）第1の方法：
【０２６３】
システムメッセージ構成をまず取得することができ、次いで、構成情報がシステムメッセージ構成に従って決定される。
【０２６４】
例えば、システムメッセージ構成と構成情報（すなわち、システムメッセージ伝送構成）との対応関係をまず定義することができ、次いでシステムメッセージ伝送構成が取得された後で、対応関係を問い合わせることによって対応する構成情報（すなわち、システムメッセージ伝送構成）を獲得することができる。
【０２６５】
システムメッセージ構成と構成情報（すなわち、システムメッセージ伝送構成）との前述の対応関係は、特定の構成規則に従ってネットワーク側デバイスと端末デバイスとが決定することもでき、ネットワーク側デバイスが決定し、端末デバイスに通知することもできる。例えば、ネットワーク側デバイスは、システムメッセージ構成と構成情報（すなわち、システムメッセージ伝送構成）との対応関係を記録するのに使用されるマッピングテーブルを決定し、次いで端末デバイスにマッピングテーブルを通知することができる。
【０２６６】
システムメッセージ構成は、システム・メッセージ・ウィンドウのウィンドウ長の構成（si−WindowLength）、システムメッセージ周期の構成（si−Periodicity）などを含むことができる。加えて、システムメッセージ構成はシステムメッセージ更新周期などをさらに含むこともできる。例えば、システム・メッセージ・ウィンドウのウィンドウ長は（ms1、ms2、ms5、ms10、ms15、ms20、ms40）などとすることができ、システム・メッセージ・ウィンドウの周期は（rf8、rf16、rf32、rf64、rf128、rf256、rf512）などとすることができ、rfは無線フレームを指す。
【０２６７】
異なるシステムメッセージが異なるシステムメッセージ構成を有する場合もあり、同じシステムメッセージ構成を有する場合もあり、同じシステムメッセージのシステムメッセージ構成を実際の応用における要件に従って調整することもでき、すなわち、基地局は、システムメッセージ構成を構成するために、要件に従ってシステム・メッセージ・ウィンドウの適正なウィンドウ長および適正なシステムメッセージ周期を選択することができることに留意すべきである。
【０２６８】
（2）第2の方法：
【０２６９】
具体的には、システムメッセージのカバレッジ拡張要件情報、システムメッセージのカバレッジ拡張レベル情報、システムメッセージの反復回数要件情報、および／または端末デバイスの受信試行回数要件情報といった情報をまず取得することができ、次いで、システム・メッセージ・ウィンドウにおけるシステムメッセージ伝送構成が、システムメッセージのカバレッジ拡張要件情報、システムメッセージのカバレッジ拡張レベル情報、システムメッセージの反復回数要件情報、および／または端末デバイスの受信試行回数要件情報といった取得した情報に従って決定される。
【０２７０】
構成情報（すなわち、システムメッセージ伝送構成）と前述の様々な要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係は、特定の構成規則に従って、ネットワーク側デバイスと端末デバイスとが決定することもでき、ネットワーク側デバイスが決定し、端末デバイスに通知することもできる。例えば、ネットワーク側デバイスは、「構成情報（すなわち、システムメッセージ伝送構成）と要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係」を記録するのに使用されるマッピングテーブルを決定し、次いで端末デバイスにマッピングテーブルを通知することができる。
【０２７１】
加えて、システムメッセージのカバレッジ拡張要件情報、システムメッセージのカバレッジ拡張レベル情報、システムメッセージの反復回数要件情報、および／または端末デバイスの受信試行回数要件情報といった情報は、複数のポリシーを用いて設定することができること、例えば、システムメッセージのカバレッジ拡張要件情報、システムメッセージのカバレッジ拡張レベル情報、システムメッセージの反復回数要件情報、および／または端末デバイスの受信試行回数要件情報といった情報は、システムメッセージ専用に設定することもできることにも留意すべきである。あるいは、端末デバイスのカバレッジ拡張レベルを設定することもでき、システムメッセージのカバレッジ拡張レベルが端末デバイスのカバレッジ拡張レベルに従って決定され、次いで情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）が、システムメッセージのカバレッジ拡張レベルに従って決定される。ここでは詳細を繰り返さない。
【０２７２】
システムメッセージのカバレッジ拡張要件情報、システムメッセージのカバレッジ拡張レベル情報、システムメッセージの反復回数要件情報、および／または端末デバイスの受信試行回数要件情報などの具体的説明については、前述の各実施形態を参照することができ、ここでは詳細を繰り返さない。
【０２７３】
具体的には、システム・メッセージ・ウィンドウが構成されるときに、システム・メッセージ・ウィンドウにおいてカバレッジ拡張要件、カバレッジ拡張レベル、反復回数の要件、および／または端末デバイスの受信試行回数の要件も構成することができる。例えば、図1bを参照することができ、ここでは詳細を繰り返さない。
【０２７４】
任意選択で、システム・メッセージ・ウィンドウにおける構成を図1cとして示すこともでき、すなわち、システム・メッセージ・ウィンドウにおけるカバレッジ拡張要件、カバレッジ拡張レベル、反復回数の要件、端末デバイスの受信試行回数の要件、システムメッセージ構成、およびシステムメッセージ伝送構成の様々な組み合わせがすべて提示されており、＃sijはサブフレームsijを指す。
【０２７５】
構成情報（すなわち、システム・メッセージ・ウィンドウにおけるシステムメッセージ伝送構成）が決定されるときには、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報に従ってシステムメッセージ構成をまず決定することができ、次いで、決定されたシステムメッセージ構成に従って構成情報が決定され、または、構成情報と、システムメッセージのカバレッジ拡張要件情報、システムメッセージのカバレッジ拡張レベル情報、システムメッセージの反復回数要件情報、および／もしくは端末デバイスの受信試行回数要件情報といった情報との対応関係を事前設定することができ、システムメッセージのカバレッジ拡張要件情報、システムメッセージのカバレッジ拡張レベル情報、システムメッセージの反復回数要件情報、および／もしくは端末デバイスの受信試行回数要件情報といった情報が取得された後で、対応関係をサーチすることによって対応する構成情報が決定され、または、システムメッセージ構成を取得することができ、システムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報を参照して構成情報が決定される。
すなわち、「取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する」ステップは以下のステップを特に含むことができる。
取得したシステムメッセージのカバレッジ拡張要件情報、取得したシステムメッセージのカバレッジ拡張レベル情報、取得したシステムメッセージの反復回数要件情報、および／もしくは取得した端末デバイスの受信試行回数要件情報に従ってシステムメッセージ構成を決定し、決定したシステムメッセージ構成に従って構成情報を決定するステップ、または、
システムメッセージのカバレッジ拡張要件情報、システムメッセージのカバレッジ拡張レベル情報、システムメッセージの反復回数要件情報、および／もしくは端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定するステップ、または、
システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するステップであって、これは具体的には例えば、
取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数を決定し、システム・メッセージ・ウィンドウのウィンドウ長を取得し、ウィンドウ長および送信回数に従って、システムメッセージが送信されるときに使用されるサブフレームに関する情報を決定するステップ、
とすることができる。
【０２７６】
システム・メッセージ・ウィンドウのウィンドウ長は複数の方法で取得することができる。例えば、システムメッセージ構成を取得することができ、次いで、システム・メッセージ・ウィンドウのウィンドウ長がシステムメッセージ構成から抽出される。
【０２７７】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０２７８】
加えて、システムメッセージを送信するためのサブフレームが選択されるときに、システム・メッセージ・ウィンドウのウィンドウ長がN個のシステムメッセージを伝送するのに十分でない場合、続いて、基地局デバイスによって送信されたシステムメッセージを受信するために拡張されたシステム・メッセージ・ウィンドウからサブフレームが選択されるように、システム・メッセージ・ウィンドウを拡張することもでき、Nはシステム・メッセージ・ウィンドウにおけるシステムメッセージの送信回数であり、Nは0より大きい整数である。すなわち、「ウィンドウ長および送信回数に従って、システムメッセージが送信されるときに使用されるサブフレームに関する情報を決定する」ステップは、
ウィンドウ長がN個のシステムメッセージを伝送するのに十分である場合、システムメッセージを送信するためにシステム・メッセージ・ウィンドウからサブフレームを選択し、もしくはシステム・メッセージ・ウィンドウを拡張し、基地局によって送信されたシステムメッセージを受信するために拡張されたシステム・メッセージ・ウィンドウからサブフレームを選択するステップ、または、
ウィンドウ長がN個のシステムメッセージを伝送するのに十分でない場合、システム・メッセージ・ウィンドウを拡張し、基地局デバイスによって送信されたシステムメッセージを受信するために拡張されたシステム・メッセージ・ウィンドウからサブフレームを選択するステップ、
を特に含むことができる。
【０２７９】
任意選択で、システム・メッセージ・ウィンドウは拡張されない場合もあり、代わりに、基地局デバイスによって送信されたシステム情報を受信するために複数の連続したシステム・メッセージ・ウィンドウからサブフレームが選択され、すなわち、「ウィンドウ長および送信回数に従って、システムメッセージが送信されるときに使用されるサブフレームに関する情報を決定する」ステップは、
ウィンドウ長および送信回数に従って、基地局デバイスによって送信されたシステムメッセージを受信するために複数の連続したシステム・メッセージ・ウィンドウからサブフレームを選択するステップ、
を特に含むことができる。
【０２８０】
任意選択で、システムメッセージ周期に従って、システム・メッセージ・ウィンドウを拡張する方法を用いるか、それとも複数の連続したシステム・メッセージ・ウィンドウを使用する方法を用いるか決定することもできる。例えば、システムメッセージ周期が長い場合には、システム・メッセージ・ウィンドウを拡張する方法が用いられ、システムメッセージ周期が短い場合には、複数の連続したシステム・メッセージ・ウィンドウを使用する方法が用いられる。すなわち、システムメッセージのためのカバレッジ拡張伝送方法は、
システムメッセージ周期を取得するステップ
をさらに含むことができる。
【０２８１】
その場合、「ウィンドウ長および送信回数に従って、システムメッセージが送信されるときに使用されるサブフレームに関する情報を決定する」ステップは、
システムメッセージ周期が事前設定周期閾値を超えるかどうか判定するステップと、
周期が周期閾値を超える場合、ウィンドウ長がN個のシステムメッセージを伝送するのに十分であると判定されたときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、基地局デバイスによって送信されたシステムメッセージを受信するために拡張されたシステム・メッセージ・ウィンドウからサブフレームを選択するステップと、あるいは、
周期が周期閾値を超えない場合、ウィンドウ長および送信回数に従って、基地局デバイスによって送信されたシステムメッセージを受信するために複数の連続したシステム・メッセージ・ウィンドウからサブフレームを選択するステップと、
を特に含むことができる。
【０２８２】
周期閾値は実際の応用における要件に従って設定することができ、ここでは詳細を繰り返さない。
【０２８３】
任意選択で、比較的多くの端末デバイスの受信試行回数が必要とされるときに、元のシステム・メッセージ・ウィンドウのリソースのみが使用される場合には、端末デバイスがシステムメッセージを受信する前に要する時間が比較的長くなる可能性がある。したがって、端末デバイスがシステムメッセージを受信する前に要する時間を短くするために、システム・メッセージ・ウィンドウを拡張することもできる。すなわち、「ウィンドウ長および送信回数に従って、システムメッセージが送信されるときに使用されるサブフレームに関する情報を決定する」ステップの前に、システムメッセージのための本カバレッジ拡張伝送方法は、
端末デバイスの受信試行回数要件情報に従って端末デバイスの受信試行回数を決定し、受信試行回数が事前設定閾値より大きいと判定されたときには、システム・メッセージ・ウィンドウを拡張するステップ、
をさらに含むことができる。
【０２８４】
「ウィンドウ長および送信回数に従って、システムメッセージが送信されるときに使用されるサブフレームに関する情報を決定する」ステップは具体的には、
ウィンドウ長および送信回数に従って、基地局デバイスによって送信されたシステムメッセージを受信するために拡張されたシステム・メッセージ・ウィンドウからサブフレームを選択するステップ、
である。
【０２８５】
当然ながら、システム・メッセージ・ウィンドウは拡張され、したがって、システムメッセージを同じシステム・メッセージ・ウィンドウにおいて送信することができる回数も増加し、またその場合には端末デバイスの受信試行回数もしかるべく減少しうる。加えて、端末デバイスの受信試行回数が比較的大きいときには、比較的短いシステムメッセージ周期を選択することもできる。ここでは詳細を繰り返さない。
【０２８６】
402．構成情報によって指示されるリソース上で、基地局デバイスによって送信されたシステムメッセージを受信する。
【０２８７】
システムメッセージ伝送構成がシステムメッセージはシステム・メッセージ・ウィンドウにおけるすべての利用可能なサブフレームにおいて伝送されるべきであることを指示する場合、その場合、基地局デバイスによって送信されたシステムメッセージは、システム・メッセージ・ウィンドウにおけるすべての利用可能なサブフレームにおいて受信することができる。すなわち、「構成情報によって指示されるリソース上で、基地局デバイスによって送信されたシステムメッセージを受信する」ステップは具体的には、
システム・メッセージ・ウィンドウにおけるすべての利用可能なサブフレームにおいて、基地局デバイスによって送信されたシステムメッセージを受信するステップ、
とすることができる。
【０２８８】
システム伝送構成がシステムメッセージはシステム・メッセージ・ウィンドウにおけるいくつかのサブフレームにおいて伝送されるべきであることを指示する場合、その場合、基地局デバイスによって送信されたシステムメッセージは、これらの指定されたサブフレームにおいて受信することができる。すなわち、「構成情報によって指示されるリソース上で、基地局デバイスによって送信されたシステムメッセージを受信する」ステップは具体的には、
選択されたサブフレームにおいて、基地局デバイスによって送信されたシステムメッセージを受信するステップ、
とすることができる。
【０２８９】
以上からわかるように、本実施形態においては、構成情報が決定され、構成情報はシステム・メッセージ・ウィンドウにおけるシステムメッセージ伝送構成を指示するのに使用され、次いで、基地局デバイスによって送信されたシステムメッセージが構成情報によって指示されるリソース上で受信される、という解決策が用いられる。本解決策では、端末デバイスがシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０２９０】
実施形態6
実施形態4および実施形態5に記載されている方法に従い、以下では、ネットワーク側デバイスが特に基地局デバイスに組み込まれている例を用いて、システムメッセージのためのカバレッジ拡張伝送方法を詳細にさらに説明する。
【０２９１】
図5に示すように、システムメッセージのためのカバレッジ拡張伝送方法が提供され、具体的手順は以下のとおりとすることができる。
【０２９２】
501．基地局デバイスが、システムメッセージのカバレッジ拡張要件情報、システムメッセージのカバレッジ拡張レベル情報、システムメッセージの反復回数要件情報、および／または端末デバイスの受信試行回数要件情報を取得する。
【０２９３】
502．基地局デバイスは、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定し、構成情報はシステム・メッセージ・ウィンドウにおけるシステムメッセージ伝送構成を指示するのに使用される。
【０２９４】
構成情報（すなわち、システム・メッセージ・ウィンドウにおけるシステムメッセージ伝送構成）が決定されるときには、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報に従ってシステムメッセージ構成をまず決定することができ、次いで、決定されたシステムメッセージ構成に従って構成情報が決定され、または、構成情報と、システムメッセージのカバレッジ拡張要件情報、システムメッセージのカバレッジ拡張レベル情報、システムメッセージの反復回数要件情報、および／もしくは端末デバイスの受信試行回数要件情報といった情報との対応関係を事前設定することができ、システムメッセージのカバレッジ拡張要件情報、システムメッセージのカバレッジ拡張レベル情報、システムメッセージの反復回数要件情報、および／もしくは端末デバイスの受信試行回数要件情報といった情報が取得された後で、対応関係をサーチすることによって対応する構成情報が決定され、または、システムメッセージ構成を取得することができ、システムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得された情報を参照して構成情報が決定される。
【０２９５】
構成情報がシステムメッセージのカバレッジ拡張要件情報、システムメッセージのカバレッジ拡張レベル情報、システムメッセージの反復回数要件情報、および／もしくは端末デバイスの受信試行回数要件情報といった取得された情報に従って直接決定される場合、詳細は以下のとおりとすることができる。
【０２９６】
システムメッセージのカバレッジ拡張要件情報、システムメッセージのカバレッジ拡張レベル情報、システムメッセージの反復回数要件情報、および／または端末デバイスの受信試行回数要件情報といった取得された情報に従ってシステムメッセージの送信回数が決定され、次いで、システム・メッセージ・ウィンドウのウィンドウ長が取得され、次いで、システム・メッセージ・ウィンドウのウィンドウ長およびシステムメッセージの送信回数に従ってシステムメッセージが送信されるときに使用されるサブフレームに関する情報が決定される。
【０２９７】
システム・メッセージ・ウィンドウのウィンドウ長は複数の方法で取得することができる。例えば、システムメッセージ構成を取得することができ、次いで、システム・メッセージ・ウィンドウのウィンドウ長がシステムメッセージ構成から抽出される。
【０２９８】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０２９９】
システム・メッセージ・ウィンドウにおいてシステムメッセージ伝送構成が行われるときには、カバレッジ拡張要件を複数の方法で満たすことができ、これらは具体的には以下のとおりとすることができる。
【０３００】
（1）カバレッジ拡張要件は反復伝送によって満たされる。
【０３０１】
すなわち、反復回数が異なれば満たされるカバレッジ拡張要件も異なりうる。
【０３０２】
A．異なるカバレッジ拡張要件が異なる反復回数に対応する場合、システム・メッセージ・ウィンドウにおいてシステムメッセージが送信される必要のある回数も異なり、その場合には、必要なサブフレームの個数およびサブフレームの対応する位置も異なり、すなわち、カバレッジ拡張要件が異なれば、対応するシステム・メッセージ・ウィンドウにおけるシステムメッセージ伝送構成も異なる。
【０３０３】
B．同じカバレッジ拡張要件が同じ反復回数に対応する場合、システムメッセージがシステム・メッセージ・ウィンドウにおいて送信される必要のある回数は同じ場合も異なる場合もあり、システムメッセージを送信するためのサブフレームの位置は同じ場合も異なる場合もある。システムメッセージを送信するためのサブフレームの位置が異なる場合、同じカバレッジ拡張要件はシステム・メッセージ・ウィンドウにおける異なるシステムメッセージ伝送構成に対応する。
【０３０４】
例えば、一例では、カバレッジ拡張要件は、システムメッセージが4回送信されることを必要とし、これは具体的には以下のとおりとすることができる。
【０３０５】
システム・メッセージ・ウィンドウの長さが4msより長い場合、システムメッセージをシステム・メッセージ・ウィンドウにおいて4回伝達することができ、システムメッセージを送信するためにシステム・メッセージ・ウィンドウから4つのサブフレームを選択することができる。例えば、4つのサブフレームは最初の4つのサブフレームまたは最後の4つのサブフレームであり、または、メッセージウィンドウの長さが40msである場合、システム・メッセージ・ウィンドウにおける4つの無線フレームのすべての無線フレームにおけるサブフレーム1がシステムメッセージを送信するために使用されると指定することもでき、システムメッセージは合計4回送信され、または、無線フレーム1におけるサブフレーム0、無線フレーム2におけるサブフレーム3、無線フレーム3におけるサブフレーム5、および無線フレーム4におけるサブフレーム6がシステムメッセージを送信するために使用されると指定することもでき、システムメッセージは合計4回送信され、以下同様である。ここでは繰り返し例を挙げない。
【０３０６】
システムメッセージをシステム・メッセージ・ウィンドウにおいて4回伝送することができない場合、例えば、システム・メッセージ・ウィンドウの長さが1msまたは2msである場合、カバレッジ拡張要件を持つ端末デバイスは、元のシステム・メッセージ・ウィンドウを基準として用いてシステム・メッセージ・ウィンドウを拡張することができる。例えば、元のシステム・メッセージ・ウィンドウの長さが1msであり、計算によって、システム・メッセージ・ウィンドウにおける位置が無線フレーム2におけるサブフレーム3であることがわかった場合、無線フレーム2におけるサブフレーム3は、システム・メッセージ・ウィンドウがカバレッジ拡張のために拡張される際の開始サブフレームとして使用することができ、システム・メッセージ・ウィンドウは3サブフレーム分だけ後方へ拡張され、すなわち、無線フレーム2におけるサブフレーム3、サブフレーム4、サブフレーム5、およびサブフレーム6が拡張されたシステム・メッセージ・ウィンドウとして使用され、または、サブフレーム3は、システム・メッセージ・ウィンドウが拡張される際の終了フレームとして使用することができ、すなわち、サブフレーム0、サブフレーム1、サブフレーム2、およびサブフレーム3が拡張されたシステム・メッセージ・ウィンドウとして使用される。当然ながら、サブフレーム3は、システム・メッセージ・ウィンドウの拡張の中間位置として使用することもでき、ここでは詳細を繰り返さない。
【０３０７】
システム・メッセージ・ウィンドウのウィンドウ長がシステムメッセージを4回送信するのに十分でない場合、システム・メッセージ・ウィンドウの拡張に加えて、システムメッセージを複数の連続したシステム・メッセージ・ウィンドウにおいて別々に送信することができ、すなわち、システムメッセージは、複数の連続したシステム・メッセージ・ウィンドウにおいて4回にわたって別々に送信することができる。例えば、システム・メッセージ・ウィンドウの長さが2msであった場合、システムメッセージは第1のシステム・メッセージ・ウィンドウにおいて2回伝達することができ、システムメッセージは第2のシステム・メッセージ・ウィンドウにおいて2回伝達される。
【０３０８】
たとえシステムメッセージをシステム・メッセージ・ウィンドウにおいて4回伝達することができる場合でさえも、システムメッセージを送信するために元のシステム・メッセージ・ウィンドウを拡張することもでき、または、システム情報が、複数の連続したシステム・情報・ウィンドウで合計４回送信されることができる。ここでは詳細を繰り返さない。
【０３０９】
加えて、システムメッセージが必要とする送信回数がシステム・メッセージ・ウィンドウのウィンドウ長以上であり、システムメッセージは、システム・メッセージ・ウィンドウにおけるすべての利用可能なサブフレームにおいて伝達することができる。
【０３１０】
（2）カバレッジ拡張要件は、信号反復なしで、端末デバイスの受信試行回数の調整によって満たされる。
【０３１１】
その場合には、システムメッセージを送信するためにシステム・メッセージ・ウィンドウから任意のサブフレームを選択することができる。
【０３１２】
（3）カバレッジ拡張要件は、信号反復および端末デバイスの受信試行回数の調整によって満たされる。
【０３１３】
同じカバレッジ拡張要件を端末デバイスの異なる受信試行回数と異なる信号反復受信回数との併用によって満たすことができる。例えば、5dBのカバレッジ拡張要件は、端末デバイスの3回の受信試行と6回の信号反復との併用によって満たすこともでき、または、端末デバイスの2回の受信試行と10回の信号反復との併用によって満たすこともできる。
【０３１４】
同じカバレッジ拡張要件について、端末デバイスの受信試行回数は異なるように構成されており、したがって、情報反復回数もしかるべく異なり、システム・メッセージ・ウィンドウにおけるシステムメッセージのものであり、同じカバレッジ拡張要件に対応する伝送回数も異なり、これにより、システムメッセージを送信するためのサブフレームの選択における差異が生じ、すなわち、同じカバレッジ拡張要件はシステム・メッセージ・ウィンドウにおける異なるシステムメッセージ伝送構成に対応する。
【０３１５】
任意選択で、端末デバイスの受信試行モードを定義することもでき、システム・メッセージ・ウィンドウにおけるシステムメッセージの伝送回数およびシステム・メッセージ・ウィンドウにおける、システムメッセージを送信するためのサブフレームは、決定された受信試行モードに従って決定される。受信試行モードでは、端末デバイスの受信試行回数の各受信試行における組み合わせ回数、および最大受信試行回数を定義することができる。
【０３１６】
例えば、端末デバイスの各受信試行において4つのサブフレーム内のシステム情報が組み合わされる場合に、システム・メッセージ・ウィンドウの長さが4msより長い場合、システムメッセージを4回伝達するために各システム・メッセージ・ウィンドウから4つのサブフレームを選択することができ、端末デバイスは各システム・情報ウィンドウにおいて累積的に組み合わせを行い、これが端末デバイスの1回の受信試行として使用され、または、システムメッセージは2つの隣接するメッセージ受信ウィンドウにおいてそれぞれ2回ずつ伝達され、それら2つの隣接するメッセージ受信ウィンドウにおけるシステムメッセージは組み合わされ、これが端末デバイスの1回の受信試行として使用される。
【０３１７】
さらに、端末デバイスの比較的多くの受信試行回数が必要とされる場合、例えば、端末デバイスの16回の受信試行が必要とされる場合に、元のシステム・メッセージ・ウィンドウのリソースのみが使用される場合には、端末デバイスがシステムメッセージを受信する前に必要とされる時間が比較的長くなる可能性がある。したがって、その場合には、元のシステム・メッセージ・ウィンドウ上で拡張が行われるべきであるとみなすことができる。拡張方法はシステム・メッセージ・ウィンドウの前述の拡張方法と同様であり、ここでは詳細を繰り返さない。
【０３１８】
加えて、システムメッセージ構成は、システム情報の決定されたカバレッジ拡張要件および／または決定された端末デバイスの受信試行モードに従ってさらに決定することもでき、システムメッセージ構成は、システム・メッセージ・ウィンドウの長さ、システムメッセージ送信周期、およびシステムメッセージ更新周期のうちの1つまたは複数を含むことができる。例えば、カバレッジ拡張要件が比較的高く、比較的多くの反復回数、例えば16回の反復が必要とされる場合には、システム・メッセージ・ウィンドウの長さを、20ms、40msなどになるように構成することができる。あるいは、端末デバイスの受信試行回数が比較的大きい場合には、システムメッセージ送信周期を、比較的小さい値などになるように構成することもできる。
【０３１９】
503．基地局デバイスは端末デバイスに構成情報を通知する。
【０３２０】
例えば、具体的には、構成情報は、独立したメッセージとして端末デバイスに通知することもでき、または、既存のメッセージで搬送し、端末デバイスに通知することもできる。ここでは詳細を繰り返さない。
【０３２１】
504．基地局デバイスは構成情報によって指示されるリソース上でシステムメッセージを送信する。
【０３２２】
すなわち、システムメッセージは、システム・メッセージ・ウィンドウのウィンドウ長、システムメッセージ周期、システムメッセージ更新周期、システムメッセージが送信されるときに使用されるサブフレームに関する情報、および／またはシステム・メッセージ・ウィンドウにおけるシステムメッセージの送信回数などに従って送信される。
【０３２３】
505．端末デバイスは構成情報を受信し、構成情報によって指示されるリソース上で、基地局デバイスによって送信されたシステムメッセージを受信する。
【０３２４】
続いて端末デバイスは、受信したシステムメッセージに対する処理をさらに行うことができ、例えば、受信結合操作や受信試行操作といった操作を行うことができる。
【０３２５】
以上からわかるように、本実施形態においては、基地局デバイスが、システム・メッセージ・ウィンドウにおけるシステムメッセージ伝送構成を指示するのに使用される構成情報を決定し、端末デバイスに構成情報を通知し、次いで、構成情報に従ってシステムメッセージを送信する、という解決策が用いられる。その場合端末デバイスは、構成情報に従って、基地局デバイスによって送信されたシステムメッセージを受信することができる。本解決策では、端末デバイスは、通知という方法によってシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０３２６】
実施形態7
実施形態6と同じなのは、本実施形態も、ネットワーク側デバイスが特に基地局デバイスに組み込まれている例を用いて説明されていることである。実施形態6と異なるのは、本実施形態においては、構成情報が、基地局デバイスによって端末デバイスに通知されるのではなく、基地局デバイスと端末デバイスとによって事前に合意されることである。以下で詳細に説明する。
【０３２７】
図6に示すように、システムメッセージのためのカバレッジ拡張伝送方法が提供され、具体的手順は以下のとおりとすることができる。
【０３２８】
601．基地局デバイスが、基地局デバイスと端末デバイスとによって合意された構成規則に従って構成情報を決定し、構成情報はシステム・メッセージ・ウィンドウにおけるシステムメッセージ伝送構成を指示するのに使用される。
【０３２９】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【０３３０】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。例えば、システムメッセージが1つのシステム・メッセージ・ウィンドウにおいて2回伝送される必要がある場合に、システム・メッセージ・ウィンドウのウィンドウ長が10ミリ秒（ms、millisecond）である場合、システムメッセージを2回送信するために、10msの長さにおける10個のサブフレーム（1msは1つのサブフレームの長さでもある）から任意の2つの利用可能なサブフレームを選択することができる。システム・メッセージ・ウィンドウにおける、システムメッセージの伝送に使用されるサブフレームの番号は列挙法で記載することができる。
【０３３１】
基地局デバイスと端末デバイスとによって合意された構成規則は、基地局デバイス上と端末デバイス上とでユーザが別々に事前設定することができ、これは具体的には例えば以下のとおりとすることができる。
【０３３２】
対応するシステムメッセージ構成とシステム・メッセージ・ウィンドウにおけるシステムメッセージ伝送構成とが、システムメッセージのカバレッジ拡張要件情報、システムメッセージの異なるカバレッジ拡張レベル情報、システムメッセージの異なる反復回数要件情報、および／または端末デバイスの異なる受信試行回数要件情報といった異なる情報について設定され、システム・メッセージ・ウィンドウにおけるシステムメッセージ伝送構成と、カバレッジ拡張要件情報、カバレッジ拡張レベル情報、反復回数要件情報、端末デバイスの受信試行回数要件情報といった情報とのマッピング関係、およびシステムメッセージ構成とシステム・メッセージ・ウィンドウにおけるシステムメッセージ伝送構成とのマッピング関係が記憶される。
【０３３３】
あるいは、基地局デバイスと端末デバイスとによって合意された構成規則を、基地局が決定した後で端末デバイスに通知することもでき、これは具体的には例えば以下のとおりとすることができる。
【０３３４】
基地局デバイスは、システムメッセージの異なるカバレッジ拡張要件情報、システムメッセージのカバレッジ拡張レベル情報、システムメッセージの異なる反復回数要件情報、および／または端末デバイスの異なる受信試行回数要件情報といった異なる情報についてのシステム・メッセージ・ウィンドウにおける対応するシステムメッセージ伝送構成を設定し、システム・メッセージ・ウィンドウにおけるシステムメッセージ伝送構成と、カバレッジ拡張要件情報、カバレッジ拡張レベル情報、反復回数要件情報、端末デバイスの受信試行回数要件情報といった情報とのマッピング関係を記憶し、次いで、端末デバイスがマッピング関係を記憶するように、端末デバイスにマッピング関係を送信する。
【０３３５】
システム・メッセージ・ウィンドウにおけるシステムメッセージ伝送構成と、カバレッジ拡張要件情報、カバレッジ拡張レベル情報、反復回数要件情報、端末デバイスの受信試行回数要件情報といった情報との設定関係、およびシステムメッセージ構成と、システム・メッセージ・ウィンドウにおけるシステムメッセージ伝送構成との設定関係については、前述の実施形態（実施形態5など）を参照することができる。ここでは詳細を繰り返さない。
【０３３６】
602．基地局デバイスは決定された構成情報によって指示されるリソース上でシステムメッセージを送信する。
【０３３７】
すなわち、システムメッセージは、システム・メッセージ・ウィンドウのウィンドウ長、システムメッセージ周期、システムメッセージ更新周期、システムメッセージが送信されるときに使用されるサブフレームに関する情報、および／またはシステム・メッセージ・ウィンドウにおけるシステムメッセージの送信回数などに従って送信される。
【０３３８】
603．端末デバイスは、端末デバイスと基地局デバイスとによって合意された構成規則に従って構成情報を決定し、構成情報はシステム・メッセージ・ウィンドウにおけるシステムメッセージ伝送構成を指示するのに使用される。
【０３３９】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【０３４０】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。
【０３４１】
端末デバイスと基地局デバイスとによって合意された構成規則は、基地局デバイス上と端末デバイス上とでユーザが別々に事前設定することができ、これは具体的には例えば以下のとおりとすることができる。
【０３４２】
対応するシステムメッセージ構成とシステム・メッセージ・ウィンドウにおけるシステムメッセージ伝送構成とが、システムメッセージの異なるカバレッジ拡張要件情報、システムメッセージの異なるカバレッジ拡張レベル情報、システムメッセージの異なる反復回数要件情報、および／または端末デバイスの異なる受信試行回数要件情報について設定され、システム・メッセージ・ウィンドウにおけるシステムメッセージ伝送構成と、カバレッジ拡張要件情報、カバレッジ拡張レベル情報、反復回数要件情報、端末デバイスの受信試行回数要件情報とのマッピング関係、およびシステムメッセージ構成とシステム・メッセージ・ウィンドウにおけるシステムメッセージ伝送構成とのマッピング関係が記憶される。
【０３４３】
システム・メッセージ・ウィンドウにおけるシステムメッセージ伝送構成と、カバレッジ拡張要件情報、カバレッジ拡張レベル情報、反復回数要件情報、端末デバイスの受信試行回数要件情報といった情報との設定関係、およびシステムメッセージ構成と、システム・メッセージ・ウィンドウにおけるシステムメッセージ伝送構成との設定関係については、前述の実施形態（実施形態5など）を参照することができる。ここでは詳細を繰り返さない。
【０３４４】
加えて、構成情報を決定する際の、端末デバイスによって使用される方法は、基地局デバイスによって使用される方法との整合性を保つべきであることにも留意すべきである。
【０３４５】
604．端末デバイスは、決定された構成情報によって指示されるリソース上で、基地局デバイスによって送信されたシステムメッセージを受信する。
【０３４６】
続いて端末デバイスは、受信したシステムメッセージに対する処理をさらに行うことができ、例えば、受信結合操作や受信試行操作といった操作を行うことができる。
【０３４７】
以上からわかるように、本実施形態においては、基地局デバイスと端末デバイスとが事前に構成規則に関して合意し、次いで、基地局デバイスおよび端末デバイスは合意した構成規則に従って現在の構成情報を別々に決定し、構成情報はシステム・メッセージ・ウィンドウにおけるシステムメッセージ伝送構成を指示し、次いで、基地局デバイスは構成情報によって指示されるリソース上でシステムメッセージを送信し、端末デバイスは構成情報によって指示されるリソース上でシステムメッセージを受信する、という解決策が用いられる。本解決策では、端末デバイスは、基地局デバイスと端末デバイスとの合意という方法で、システム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０３４８】
実施形態8
加えて、本発明の本実施形態は基地局デバイスをさらに提供する。図7に示すように、本基地局デバイスは、プロセッサ701と、データを記憶するように構成されたメモリ702と、データを受信し、送信するように構成された受信送信インターフェース703とを含み、プロセッサ701はバス（BUS）700を用いてメモリ702と受信送信インターフェース703とに接続されている。基地局デバイス内のすべての部分の機能は具体的には以下のとおりとすることができる。
【０３４９】
プロセッサ701は、システム・メッセージ・ウィンドウにおけるシステムメッセージ伝送構成を指示するのに使用される構成情報を決定し、構成情報によって指示されるリソース上でシステムメッセージを送信するように受信送信インターフェース703を制御する、ように構成されている。
【０３５０】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【０３５１】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。例えば、システムメッセージが1つのシステム・メッセージ・ウィンドウにおいて2回伝送される必要がある場合に、システム・メッセージ・ウィンドウのウィンドウ長が10ミリ秒（ms、millisecond）である場合、システムメッセージを2回送信するために、10msの長さにおける10個のサブフレーム（1msは1つのサブフレームの長さでもある）から任意の2つの利用可能なサブフレームを選択することができる。
【０３５２】
システム・メッセージ・ウィンドウにおける、システムメッセージの伝送に使用されるサブフレームの番号は列挙法で記載することができる。
【０３５３】
受信送信インターフェース703は、端末デバイスが構成情報に従ってシステムメッセージを受信するように、プロセッサ701の制御下で、構成情報によって指示されるリソース上でシステムメッセージを送信するように構成されている。
【０３５４】
構成情報は、基地局デバイスと端末デバイスとの間の合意という方法で端末デバイスが知ることもでき、ネットワーク側デバイスが直接決定した後で端末デバイスに通知することもできる。構成情報が基地局デバイスと端末デバイスとの間の合意という方法で端末デバイスに知られる場合、
プロセッサ701は、基地局デバイスと端末デバイスとによって合意された構成規則に従って構成情報を決定するように構成することができる。
【０３５５】
端末デバイスに直接通知する方法が使用される場合、
プロセッサ701は、端末デバイスに構成情報を通知するよう受信送信インターフェース703を制御するようにさらに構成することができ、
受信送信インターフェース703は、プロセッサ701の制御下で端末デバイスに構成情報を通知するように構成することができる。
【０３５６】
システムメッセージ伝送構成がシステムメッセージはシステム・メッセージ・ウィンドウにおけるすべての利用可能なサブフレームにおいて伝送されるべきであることを指示する場合、その場合システムメッセージは、システム・メッセージ・ウィンドウにおけるすべての利用可能なサブフレームにおいて送信することができる。すなわち、
プロセッサ701は、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいてシステムメッセージを送信するよう受信送信インターフェース703を制御する、ように特に構成することができ、
受信送信インターフェース703は、プロセッサ701の制御下でシステム・メッセージ・ウィンドウにおけるすべての利用可能なサブフレームにおいてシステムメッセージを送信するように特に構成することができる。
【０３５７】
システムメッセージ伝送構成がシステムメッセージはシステム・メッセージ・ウィンドウにおけるいくつかのサブフレームにおいて伝送されるべきであることを指示する場合、その場合システムメッセージは、これらの指定されたサブフレームにおいて送信することができる。すなわち、
受信送信インターフェース703は、選択されたサブフレームにおいてシステムメッセージを送信するように特に構成することができる。
【０３５８】
構成情報（すなわち、システム・メッセージ・ウィンドウにおけるシステムメッセージ伝送構成）を決定するときに、プロセッサ701は複数の方法を用いることができ、これらは具体的には例えば以下のとおりとすることができる。
【０３５９】
（1）第1の方法：
【０３６０】
システムメッセージ構成をまず取得することができ、次いで、構成情報がシステムメッセージ構成に従って決定される。すなわち、
プロセッサ701は、システム・メッセージ・ウィンドウのウィンドウ長の構成およびシステムメッセージ周期の構成を含むシステムメッセージ構成を取得し、取得したシステムメッセージ構成に従って構成情報を決定する、ように特に構成することができる。
【０３６１】
例えば、システムメッセージ構成と構成情報（すなわち、システムメッセージ伝送構成）との対応関係をまず定義することができ、次いでシステムメッセージ伝送構成が取得された後で、対応関係を問い合わせることによって対応する構成情報（すなわち、システムメッセージ伝送構成）を獲得することができる。
【０３６２】
前述のシステムメッセージ構成と構成情報（すなわち、システムメッセージ伝送構成）との対応関係は、特定の構成規則に従ってネットワーク側デバイスと端末デバイスとが決定することもでき、ネットワーク側デバイスが決定し、端末デバイスに通知することもできる。例えば、ネットワーク側デバイスは、システムメッセージ構成と構成情報（すなわち、システムメッセージ伝送構成）との対応関係を記録するのに使用されるマッピングテーブルを決定し、次いで端末デバイスにマッピングテーブルを通知することができる。
【０３６３】
システムメッセージ構成は、システム・メッセージ・ウィンドウのウィンドウ長の構成（si−WindowLength）、システムメッセージ周期の構成（si−Periodicity）などを含むことができる。加えて、システムメッセージ構成はシステムメッセージ更新周期などをさらに含むこともできる。例えば、システム・メッセージ・ウィンドウのウィンドウ長は（ms1、ms2、ms5、ms10、ms15、ms20、ms40）などとすることができ、システム・メッセージ・ウィンドウの周期は（rf8、rf16、rf32、rf64、rf128、rf256、rf512）などとすることができ、rfは無線フレーム（Radio Frame）を指す。
【０３６４】
異なるシステムメッセージが異なるシステムメッセージ構成を有する場合もあり、同じシステムメッセージ構成を有する場合もあり、同じシステムメッセージのシステムメッセージ構成を実際の応用における要件に従って調整することもでき、すなわち、基地局は、システムメッセージ構成を構成するために、必要に応じてシステム・メッセージ・ウィンドウの適正なウィンドウ長および適正なシステムメッセージ周期を選択することができることに留意すべきである。
【０３６５】
（2）第2の方法：
【０３６６】
具体的には、システムメッセージのカバレッジ拡張要件情報、システムメッセージのカバレッジ拡張レベル情報、システムメッセージの反復回数要件情報、および／または端末デバイスの受信試行回数要件情報といった情報をまず取得することができ、次いで、システム・メッセージ・ウィンドウにおけるシステムメッセージ伝送構成が、システムメッセージのカバレッジ拡張要件情報、システムメッセージのカバレッジ拡張レベル情報、システムメッセージの反復回数要件情報、および／または端末デバイスの受信試行回数要件情報といった取得した情報に従って決定される。すなわち、
プロセッサ701は、システムメッセージのカバレッジ拡張要件情報、システムメッセージのカバレッジ拡張レベル情報、システムメッセージの反復回数要件情報、および／または端末デバイスの受信試行回数要件情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する、ように特に構成されている。
【０３６７】
構成情報（すなわち、システムメッセージ伝送構成）と前述の様々な要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係は、特定の構成規則に従って、ネットワーク側デバイスと端末デバイスとが決定することもでき、ネットワーク側デバイスが決定し、端末デバイスに通知することもできる。例えば、ネットワーク側デバイスは、「構成情報（すなわち、システムメッセージ伝送構成）と要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係」を記録するのに使用されるマッピングテーブルを決定し、次いで端末デバイスにマッピングテーブルを通知することができる。
【０３６８】
加えて、システムメッセージのカバレッジ拡張要件情報、システムメッセージのカバレッジ拡張レベル情報、システムメッセージの反復回数要件情報、および／または端末デバイスの受信試行回数要件情報といった情報は、複数のポリシーを用いて設定することができること、例えば、システムメッセージのカバレッジ拡張要件情報、システムメッセージのカバレッジ拡張レベル情報、システムメッセージの反復回数要件情報、および／または端末デバイスの受信試行回数要件情報といった情報は、システムメッセージ専用に設定することもできることにも留意すべきである。あるいは、端末デバイスのカバレッジ拡張レベルを設定することもでき、システムメッセージのカバレッジ拡張レベルが端末デバイスのカバレッジ拡張レベルに従って決定され、次いで情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）が、システムメッセージのカバレッジ拡張レベルに従って決定される。ここでは詳細を繰り返さない。
【０３６９】
システムメッセージのカバレッジ拡張要件情報、システムメッセージのカバレッジ拡張レベル情報、システムメッセージの反復回数要件情報、および／または端末デバイスの受信試行回数要件情報などの具体的説明については、前述の各実施形態を参照することができ、ここでは詳細を繰り返さない。
【０３７０】
2つのカバレッジ拡張技術として、信号反復（すなわち、反復回数要件情報）と「端末デバイスの受信試行」とを組み合わせて使用することができる。異なる反復回数と端末デバイスの異なる受信試行回数とを組み合わせると、満たされるカバレッジ拡張要件も異なりうる。
【０３７１】
具体的には、システム・メッセージ・ウィンドウが構成されるときに、システム・メッセージ・ウィンドウにおいてカバレッジ拡張要件、カバレッジ拡張レベル、反復回数の要件、および／または端末デバイスの受信試行回数の要件も構成することができる。例えば、図1bおよび図1cを参照することができ、ここでは詳細を繰り返さない。
【０３７２】
構成情報（すなわち、システム・メッセージ・ウィンドウにおけるシステムメッセージ伝送構成）を決定するときに、プロセッサ701は、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従ってシステムメッセージ構成をまず決定し、次いで、決定したシステムメッセージ構成に従って構成情報を決定することもでき、または、構成情報と、システムメッセージのカバレッジ拡張要件情報、システムメッセージのカバレッジ拡張レベル情報、システムメッセージの反復回数要件情報、および／もしくは端末デバイスの受信試行回数要件情報といった情報との対応関係を事前設定し、システムメッセージのカバレッジ拡張要件情報、システムメッセージのカバレッジ拡張レベル情報、システムメッセージの反復回数要件情報、および／もしくは端末デバイスの受信試行回数要件情報といった情報を取得した後で、対応関係をサーチすることによって対応する構成情報を決定することもでき、または、システムメッセージ構成を取得し、システムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定することもできる。
すなわち、
プロセッサ701は、取得したシステムメッセージのカバレッジ拡張要件情報、取得したシステムメッセージのカバレッジ拡張レベル情報、取得したシステムメッセージの反復回数要件情報、および／もしくは取得した端末デバイスの受信試行回数要件情報に従ってシステムメッセージ構成を決定し、決定したシステムメッセージ構成に従って構成情報を決定する、ように特に構成することもでき、または、
プロセッサ701は、システムメッセージのカバレッジ拡張要件情報、システムメッセージのカバレッジ拡張レベル情報、システムメッセージの反復回数要件情報、および／もしくは端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定することもでき、または、
プロセッサ701は、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するように特に構成することもでき、これは具体的には以下のとおりとすることができる。
【０３７３】
プロセッサ701は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数（すなわち、システムメッセージの総送信回数）を決定し、システム・メッセージ・ウィンドウのウィンドウ長を取得し、ウィンドウ長および送信回数に従って、システムメッセージが送信されるときに使用されるサブフレームに関する情報を決定する、ように特に構成することができる。
【０３７４】
システム・メッセージ・ウィンドウのウィンドウ長は複数の方法で取得することができる。例えば、システムメッセージ構成を取得することができ、次いで、システム・メッセージ・ウィンドウのウィンドウ長がシステムメッセージ構成から抽出される。
【０３７５】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０３７６】
加えて、システムメッセージを送信するためのサブフレームが選択されるときに、システム・メッセージ・ウィンドウのウィンドウ長がN個のシステムメッセージを伝送するのに十分でない場合、続いて、システムメッセージを送信するために拡張されたシステム・メッセージ・ウィンドウからサブフレームが選択されるように、システム・メッセージ・ウィンドウを拡張することもでき、Nはシステム・メッセージ・ウィンドウにおけるシステムメッセージの送信回数であり、Nは0より大きい整数である。すなわち、
プロセッサ701は、ウィンドウ長（すなわち、システム・メッセージ・ウィンドウのウィンドウ長）がN個のシステムメッセージを伝送するのに十分であるときには、システムメッセージを送信するためにシステム・メッセージ・ウィンドウからサブフレームを選択し、またはそうではなく、ウィンドウ長がN個のシステムメッセージを伝送するのに十分でないときには、システム・メッセージ・ウィンドウを拡張し、システムメッセージを送信するために拡張されたシステム・メッセージ・ウィンドウからサブフレームを選択する、ように特に構成することができる。
【０３７７】
当然ながら、ウィンドウ長（すなわち、システム・メッセージ・ウィンドウのウィンドウ長）がN個のシステムメッセージを伝送するのに十分であるときには、プロセッサ701は、システム・メッセージ・ウィンドウを拡張し、システムメッセージを送信するために拡張されたシステム・メッセージ・ウィンドウからサブフレームを選択することもできる。
【０３７８】
任意選択で、システム・メッセージ・ウィンドウは拡張されない場合もあり、代わりに、システムメッセージを送信するために複数の連続したシステム・メッセージ・ウィンドウからサブフレームが選択される。すなわち、
プロセッサ701は、ウィンドウ長および送信回数に従って、システムメッセージを送信するために決定部の複数の連続したシステム・メッセージ・ウィンドウからサブフレームを選択する、ように特に構成することができる。
【０３７９】
任意選択で、システムメッセージ周期に従って、システム・メッセージ・ウィンドウを拡張する方法を用いるか、それとも複数の連続したシステム・メッセージ・ウィンドウを使用する方法を用いるか決定することもできる。例えば、システムメッセージ周期が長い場合には、システム・メッセージ・ウィンドウを拡張する方法が用いられ、システムメッセージ周期が短い場合には、複数の連続したシステム・メッセージ・ウィンドウを使用する方法が用いられる。すなわち、詳細は以下のとおりとすることができる。
【０３８０】
プロセッサ701は、システムメッセージ周期を取得し、システムメッセージ周期が事前設定周期閾値を超えるかどうか判定し、周期が周期閾値を超える場合、ウィンドウ長がN個のシステムメッセージを伝送するのに十分であると判定されたときには、システムメッセージを送信するためにシステム・メッセージ・ウィンドウからサブフレームを選択し、もしくはシステム・メッセージ・ウィンドウを拡張し、システムメッセージを送信するために拡張されたシステム・メッセージ・ウィンドウからサブフレームを選択し、またはそうではなく、ウィンドウ長がN個のシステムメッセージ（Nはシステムメッセージの送信回数である）を伝送するのに十分でないときには、システム・メッセージ・ウィンドウを拡張し、システムメッセージを送信するために拡張されたシステム・メッセージ・ウィンドウからサブフレームを選択し、あるいはそうではなく、周期が周期閾値を超えない場合、ウィンドウ長および送信回数に従って、システムメッセージを送信するために複数の連続したシステム・メッセージ・ウィンドウからサブフレームを選択する、ように特に構成されている。
【０３８１】
周期閾値は実際の応用における要件に従って設定することができ、ここでは詳細を繰り返さない。
【０３８２】
任意選択で、比較的多くの端末デバイスの受信試行回数が必要とされるときに、元のシステム・メッセージ・ウィンドウのリソースのみが使用される場合には、端末デバイスがシステムメッセージを受信する前に要する時間が比較的長くなる可能性がある。したがって、端末デバイスがシステムメッセージを受信する前に要する時間を短くするために、システム・メッセージ・ウィンドウを拡張することもできる。すなわち、
プロセッサ701は、端末デバイスの受信試行回数要件情報に従って端末デバイスの受信試行回数を決定し、受信試行回数が事前設定閾値より大きいと判定されたときには、システム・メッセージ・ウィンドウを拡張し、システム・メッセージ・ウィンドウのウィンドウ長およびシステム・メッセージ・ウィンドウにおけるシステムメッセージの送信回数に従って、システムメッセージを送信するために拡張されたシステム・メッセージ・ウィンドウからサブフレームを選択する、ように特に構成することができる。
【０３８３】
当然ながら、システム・メッセージ・ウィンドウは拡張され、したがって、システムメッセージを同じシステム・メッセージ・ウィンドウにおいて送信することができる回数も増加し、またその場合には端末デバイスの受信試行回数もしかるべく減少しうる。加えて、端末デバイスの受信試行回数が比較的大きいときには、比較的短いシステムメッセージ周期を選択することもできる。ここでは詳細を繰り返さない。
【０３８４】
前述の各部分の具体的実装については、前述の実施形態を参照することができ、ここでは詳細を繰り返さない。
【０３８５】
以上からわかるように、本実施形態における基地局デバイスは、システム・メッセージ・ウィンドウにおけるシステムメッセージ伝送構成を指示するのに使用される構成情報を決定し、次いで、端末デバイスが構成情報に従ってシステムメッセージを受信するように、構成情報によって指示されるリソース上でシステムメッセージを送信することができる。本解決策では、端末デバイスはシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０３８６】
実施形態9
本発明の本実施形態は端末デバイスをさらに提供する。図8に示すように、本端末デバイスは、プロセッサ801と、データを記憶するように構成されたメモリ802と、データを受信し、送信するように構成された受信送信インターフェース803とを含み、プロセッサ801はバス（BUS）800を用いてメモリ802と受信送信インターフェース803とに接続されている。端末デバイス内のすべての部分の機能は具体的には以下のとおりとすることができる。
【０３８７】
プロセッサ801は構成情報を決定するように構成されており、構成情報はシステム・メッセージ・ウィンドウにおけるシステムメッセージ伝送構成を指示するのに使用される。
【０３８８】
システム・メッセージ・ウィンドウにおけるシステムメッセージ伝送構成は、システムメッセージが送信されるときに使用されるサブフレームに関する情報を含むことができる。加えて、任意選択で、システムメッセージ伝送構成はシステムメッセージの送信回数をさらに含むこともでき、システムメッセージの送信回数はシステムメッセージが送信されるときに使用されるサブフレームに関する情報に従って決定することもできる。
【０３８９】
異なるシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあること、同じシステムメッセージがシステム・メッセージ・ウィンドウにおいて異なるシステムメッセージ伝送構成を有する場合もあり、システム・メッセージ・ウィンドウにおいて同じシステムメッセージ伝送構成を有する場合もあることに留意すべきである。例えば、システムメッセージが1つのシステム・メッセージ・ウィンドウにおいて2回伝送される必要がある場合に、システム・メッセージ・ウィンドウのウィンドウ長が10msである場合、システムメッセージを2回送信するために、10msの長さにおける10個のサブフレーム（1msは1つのサブフレームの長さでもある）から任意の2つの利用可能なサブフレームを選択することができる。
【０３９０】
システム・メッセージ・ウィンドウにおける、システムメッセージの伝送に使用されるサブフレームの番号は列挙法で記載することができる。
【０３９１】
受信送信インターフェース803は、構成情報によって指示されるリソース上で、基地局デバイスによって送信されたシステムメッセージを受信するように構成されている。
【０３９２】
構成情報は、端末デバイスとネットワーク側デバイスとの間の合意という方法で獲得することもでき、基地局デバイスが決定した後で端末デバイスに直接通知することもできる。すなわち、
プロセッサ801は、端末デバイスと基地局デバイスとによって合意された構成規則に従って構成情報を決定するように特に構成することができ、または、
受信送信インターフェース803は、構成情報に関するものであり、基地局デバイスによって送信された通知を受信するようにさらに構成することができ、
その場合プロセッサ801は、通知（すなわち、構成情報に関する通知）に従って構成情報を決定するように特に構成することができる。
【０３９３】
システムメッセージ伝送構成がシステムメッセージはシステム・メッセージ・ウィンドウにおけるすべての利用可能なサブフレームにおいて伝送されるべきであることを指示する場合、その場合システムメッセージ伝送構成は、基地局デバイスがシステム・メッセージ・ウィンドウにおけるすべての利用可能なサブフレームにおいてシステムメッセージを送信することを指示する。したがって、基地局デバイスによって送信されたシステムメッセージは、システム・メッセージ・ウィンドウにおけるすべての利用可能なサブフレームにおいて受信することができる。すなわち、
受信送信インターフェース803は、システムメッセージ伝送構成がシステムメッセージはシステム・メッセージ・ウィンドウにおけるすべての利用可能なサブフレームにおいて伝送されるべきであることを指示するときに、システム・メッセージ・ウィンドウにおけるすべての利用可能なサブフレームにおいて、基地局デバイスによって送信されたシステムメッセージを受信する、ように特に構成することができる。
【０３９４】
システム伝送構成がシステムメッセージはシステム・メッセージ・ウィンドウにおけるいくつかのサブフレームにおいて伝送されるべきであることを指示する場合、その場合、基地局デバイスによって送信されたシステムメッセージは、これらの指定されたサブフレームにおいて受信することができる。すなわち、
受信送信インターフェース803は、選択されたサブフレームにおいて、基地局デバイスによって送信されたシステムメッセージを受信するように特に構成することができる。
【０３９５】
構成情報が端末デバイスと基地局デバイスとによって合意された構成規則に従って決定される場合、端末デバイスによって使用される決定方法は、基地局デバイスによって使用される方法との整合性を保つべきである。構成情報（すなわち、システム・メッセージ・ウィンドウにおけるシステムメッセージ伝送構成）を決定するときに、プロセッサ801は、（ただし、その方法が基地局デバイスによって使用される方法との整合性を保つという条件で）以下の方法のうちのどちらかを使用することができ、これは具体的には例えば以下のとおりとすることができる。
【０３９６】
（1）第1の方法：
【０３９７】
システムメッセージ構成をまず取得することができ、次いで、構成情報がシステムメッセージ構成に従って決定される。すなわち、
プロセッサ801は、システムメッセージ構成を取得し、取得したシステムメッセージ構成に従って構成情報を決定するように特に構成することができる。
【０３９８】
例えば、システムメッセージ構成と構成情報（すなわち、システムメッセージ伝送構成）との対応関係をまず定義することができ、次いでシステムメッセージ伝送構成が取得された後で、対応関係を問い合わせることによって対応する構成情報（すなわち、システムメッセージ伝送構成）を獲得することができる。
【０３９９】
システムメッセージ構成と構成情報（すなわち、システムメッセージ伝送構成）との前述の対応関係は、特定の構成規則に従ってネットワーク側デバイスと端末デバイスとが決定することもでき、ネットワーク側デバイスが決定し、端末デバイスに通知することもできる。例えば、ネットワーク側デバイスは、システムメッセージ構成と構成情報（すなわち、システムメッセージ伝送構成）との対応関係を記録するのに使用されるマッピングテーブルを決定し、次いで端末デバイスにマッピングテーブルを通知することができる。
【０４００】
システムメッセージ構成は、システム・メッセージ・ウィンドウのウィンドウ長の構成（si−WindowLength）、システムメッセージ周期の構成（si−Periodicity）などを含むことができる。加えて、システムメッセージ構成はシステムメッセージ更新周期などをさらに含むこともできる。例えば、システム・メッセージ・ウィンドウのウィンドウ長は（ms1、ms2、ms5、ms10、ms15、ms20、ms40）などとすることができ、システム・メッセージ・ウィンドウの周期は（rf8、rf16、rf32、rf64、rf128、rf256、rf512）などとすることができ、rfは無線フレーム（Radio Frame）を指す。
【０４０１】
異なるシステムメッセージが異なるシステムメッセージ構成を有する場合もあり、同じシステムメッセージ構成を有する場合もあり、同じシステムメッセージのシステムメッセージ構成を実際の応用における要件に従って調整することもでき、すなわち、基地局は、システムメッセージ構成を構成するために、要件に従ってシステム・メッセージ・ウィンドウの適正なウィンドウ長および適正なシステムメッセージ周期を選択することができることに留意すべきである。
【０４０２】
（2）第2の方法：
【０４０３】
具体的には、システムメッセージのカバレッジ拡張要件情報、システムメッセージのカバレッジ拡張レベル情報、システムメッセージの反復回数要件情報、および／または端末デバイスの受信試行回数要件情報といった情報をまず取得することができ、次いで、システム・メッセージ・ウィンドウにおけるシステムメッセージ伝送構成が、システムメッセージのカバレッジ拡張要件情報、システムメッセージのカバレッジ拡張レベル情報、システムメッセージの反復回数要件情報、および／または端末デバイスの受信試行回数要件情報といった取得した情報に従って決定される。すなわち、
プロセッサ801は、システムメッセージのカバレッジ拡張要件情報、システムメッセージのカバレッジ拡張レベル情報、システムメッセージの反復回数要件情報、および／または端末デバイスの受信試行回数要件情報といった情報を取得し、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従って構成情報を決定する、ように特に構成することができる。
【０４０４】
構成情報（すなわち、システムメッセージ伝送構成）と前述の様々な要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係は、特定の構成規則に従って、ネットワーク側デバイスと端末デバイスとが決定することもでき、ネットワーク側デバイスが決定し、端末デバイスに通知することもできる。例えば、ネットワーク側デバイスは、「構成情報（すなわち、システムメッセージ伝送構成）と要件情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）との対応関係」を記録するのに使用されるマッピングテーブルを決定し、次いで端末デバイスにマッピングテーブルを通知することができる。
【０４０５】
加えて、システムメッセージのカバレッジ拡張要件情報、システムメッセージのカバレッジ拡張レベル情報、システムメッセージの反復回数要件情報、および／または端末デバイスの受信試行回数要件情報といった情報は、複数のポリシーを用いて設定することができること、例えば、システムメッセージのカバレッジ拡張要件情報、システムメッセージのカバレッジ拡張レベル情報、システムメッセージの反復回数要件情報、および／または端末デバイスの受信試行回数要件情報といった情報は、システムメッセージ専用に設定することもできることにも留意すべきである。あるいは、端末デバイスのカバレッジ拡張レベルを設定することもでき、システムメッセージのカバレッジ拡張レベルが端末デバイスのカバレッジ拡張レベルに従って決定され、次いで情報（すなわち、システムメッセージのカバレッジ拡張要件情報、システムメッセージのカバレッジ拡張レベル情報、システムメッセージの反復回数要件情報、および／または端末デバイスの受信試行回数要件情報といった情報）が、システムメッセージのカバレッジ拡張レベルに従って決定される。ここでは詳細を繰り返さない。
【０４０６】
システムメッセージのカバレッジ拡張要件情報、システムメッセージのカバレッジ拡張レベル情報、システムメッセージの反復回数要件情報、および／または端末デバイスの受信試行回数要件情報などの具体的説明については、実施形態1を参照することができ、ここでは詳細を繰り返さない。
【０４０７】
2つのカバレッジ拡張技術として、信号反復と「端末デバイスの受信試行」とを組み合わせて使用することができる。異なる反復回数と端末デバイスの異なる受信試行回数とを組み合わせると、満たされるカバレッジ拡張要件も異なりうる。
【０４０８】
具体的には、システム・メッセージ・ウィンドウが構成されるときに、システム・メッセージ・ウィンドウにおいてカバレッジ拡張要件、カバレッジ拡張レベル、反復回数の要件、および／または端末デバイスの受信試行回数の要件も構成することができる。例えば、図1bおよび図1cを参照されたく、ここでは詳細を繰り返さない。
【０４０９】
構成情報（すなわち、システム・メッセージ・ウィンドウにおけるシステムメッセージ伝送構成）を決定するときに、プロセッサ801は、システムメッセージのカバレッジ拡張要件情報、システムメッセージのカバレッジ拡張レベル情報、システムメッセージの反復回数要件情報、および／または端末デバイスの受信試行回数要件情報といった取得した情報に従ってシステムメッセージ構成をまず決定し、次いで、決定したシステムメッセージ構成に従って構成情報（すなわち、システム・メッセージ・ウィンドウにおけるシステムメッセージ伝送構成）を決定することもでき、または、構成情報と、システムメッセージのカバレッジ拡張要件情報、システムメッセージのカバレッジ拡張レベル情報、システムメッセージの反復回数要件情報、および／または端末デバイスの受信試行回数要件情報といった情報との対応関係を事前設定し、システムメッセージのカバレッジ拡張要件情報、システムメッセージのカバレッジ拡張レベル情報、システムメッセージの反復回数要件情報、および／または端末デバイスの受信試行回数要件情報といった情報を取得した後で、対応関係をサーチすることによって対応する構成情報を決定することもでき、または、システムメッセージ構成を取得し、システムメッセージ構成に従い、システムメッセージのカバレッジ拡張要件情報、システムメッセージのカバレッジ拡張レベル情報、システムメッセージの反復回数要件情報、および／または端末デバイスの受信試行回数要件情報といった取得した情報を参照して構成情報を決定することもできる。
すなわち、
プロセッサ801は、取得したシステムメッセージのカバレッジ拡張要件情報、取得したシステムメッセージのカバレッジ拡張レベル情報、取得したシステムメッセージの反復回数要件情報、および／もしくは取得した端末デバイスの受信試行回数要件情報に従ってシステムメッセージ構成を決定し、決定したシステムメッセージに従って構成情報を決定する、ように特に構成することもでき、または、
プロセッサ801は、システムメッセージのカバレッジ拡張要件情報、システムメッセージのカバレッジ拡張レベル情報、システムメッセージの反復回数要件情報、および／もしくは端末デバイスの受信試行回数要件情報といった情報に加えてシステムメッセージ構成も取得し、次いで、取得したシステムメッセージ構成に従い、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報を参照して構成情報を決定することもでき、または、
プロセッサ801は、システムメッセージのカバレッジ拡張要件情報、システムメッセージのカバレッジ拡張レベル情報、システムメッセージの反復回数要件情報、および／もしくは端末デバイスの受信試行回数要件情報といった取得した情報に従って構成情報を直接決定するように特に構成することもでき、これは具体的には以下のとおりとすることができる。
【０４１０】
プロセッサ801は、取得したシステムメッセージのカバレッジ拡張要件情報、取得したシステムメッセージのカバレッジ拡張レベル情報、取得したシステムメッセージの反復回数要件情報、および／または取得した端末デバイスの受信試行回数要件情報に従ってシステムメッセージの送信回数（すなわち、システムメッセージの総送信回数）を決定し、システム・メッセージ・ウィンドウのウィンドウ長を取得し、ウィンドウ長および送信回数に従って、基地局デバイスがシステムメッセージを送信するときに使用されるサブフレームに関する情報を決定する、ように特に構成することができる。
【０４１１】
システム・メッセージ・ウィンドウのウィンドウ長は複数の方法で取得することができる。例えば、システムメッセージ構成を取得することができ、次いで、システム・メッセージ・ウィンドウのウィンドウ長がシステムメッセージ構成から抽出される。
【０４１２】
サブフレームに関する情報はサブフレームの少なくとも1つの位置を含むことができ、加えて、サブフレームに関する情報は、サブフレームの個数といった情報をさらに含むこともできる。すなわち、サブフレームに関する情報は、サブフレームの特定の個数、およびシステムメッセージを送信するための特定のサブフレームを指示することができる。
【０４１３】
加えて、システムメッセージを送信するためのサブフレームが選択されるときに、システム・メッセージ・ウィンドウのウィンドウ長がN個のシステムメッセージを伝送するのに十分でない場合、続いて、基地局デバイスによって送信されたシステムメッセージを受信するために拡張されたシステム・メッセージ・ウィンドウからサブフレームが選択されるように、システム・メッセージ・ウィンドウを拡張することもでき、Nはシステム・メッセージ・ウィンドウにおけるシステムメッセージの送信回数であり、Nは0より大きい整数である。すなわち、
プロセッサ801は、ウィンドウ長がN個のシステムメッセージを伝送するのに十分であるときには、基地局デバイスによって送信されたシステムメッセージを受信するためにシステム・メッセージ・ウィンドウからサブフレームを選択し、Nはシステムメッセージの送信回数であり、またはそうではなく、ウィンドウ長がN個のシステムメッセージを伝送するのに十分でない場合、プロセッサ801は、システム・メッセージ・ウィンドウを拡張し、基地局デバイスによって送信されたシステムメッセージを受信するために拡張されたシステム・メッセージ・ウィンドウからサブフレームを選択する、ように特に構成することができる。
【０４１４】
当然ながら、ウィンドウ長（すなわち、システム・メッセージ・ウィンドウのウィンドウ長）がN個のシステムメッセージを伝送するのに十分であるときには、プロセッサ801は、システム・メッセージ・ウィンドウを拡張し、基地局デバイスによって送信されたシステムメッセージを受信するために拡張されたシステム・メッセージ・ウィンドウからサブフレームを選択することもできる。
【０４１５】
任意選択で、システム・メッセージ・ウィンドウは拡張されない場合もあり、代わりに、基地局デバイスによって送信されたシステム情報を受信するために複数の連続したシステム・メッセージ・ウィンドウからサブフレームが選択される。すなわち、
プロセッサ801は、ウィンドウ長および送信回数に従って、基地局デバイスによって送信されたシステムメッセージを受信するために複数の連続したシステム・メッセージ・ウィンドウからサブフレームを選択するように特に構成することができる。
【０４１６】
任意選択で、システムメッセージ周期に従って、システム・メッセージ・ウィンドウを拡張する方法を用いるか、それとも複数の連続したシステム・メッセージ・ウィンドウを使用する方法を用いるか決定することもできる。例えば、システムメッセージ周期が長い場合には、システム・メッセージ・ウィンドウを拡張する方法が用いられ、システムメッセージ周期が短い場合には、複数の連続したシステム・メッセージ・ウィンドウを使用する方法が用いられる。すなわち、
プロセッサ801は、システムメッセージ周期を取得し、システムメッセージ周期が事前設定周期閾値を超えるかどうか判定し、周期が周期閾値を超える場合、ウィンドウ長がN個のシステムメッセージを伝送するのに十分であると判定されたときには、基地局デバイスによって送信されたシステムメッセージを受信するためにシステム・メッセージ・ウィンドウからサブフレームを選択し、もしくはシステム・メッセージ・ウィンドウを拡張し、基地局デバイスによって送信されたシステムメッセージを受信するために拡張されたシステム・メッセージ・ウィンドウからサブフレームを選択し、またはそうではなく、ウィンドウ長がN個のシステムメッセージを伝送するのに十分でないときには、システム・メッセージ・ウィンドウを拡張し、基地局デバイスによって送信されたシステムメッセージを受信するために拡張されたシステム・メッセージ・ウィンドウからサブフレームを選択し、あるいはそうではなく、周期が周期閾値を超えない場合、ウィンドウ長および送信回数に従って、基地局デバイスによって送信されたシステムメッセージを受信するために複数の連続したシステム・メッセージ・ウィンドウからサブフレームを選択する、ように特に構成することができる。
【０４１７】
周期閾値は実際の応用における要件に従って設定することができ、ここでは詳細を繰り返さない。
【０４１８】
任意選択で、比較的多くの端末デバイスの受信試行回数が必要とされるときに、元のシステム・メッセージ・ウィンドウのリソースのみが使用される場合には、端末デバイスがシステムメッセージを受信する前に要する時間が比較的長くなる可能性がある。したがって、端末デバイスがシステムメッセージを受信する前に要する時間を短くするために、システム・メッセージ・ウィンドウを拡張することもできる。すなわち、
プロセッサ801は、端末デバイスの受信試行回数要件情報に従って端末デバイスの受信試行回数を決定し、受信試行回数が事前設定閾値より大きいと判定されたときには、システム・メッセージ・ウィンドウを拡張し、ウィンドウ長および送信回数に従って、基地局デバイスによって送信されたシステムメッセージを受信するために拡張されたシステム・メッセージ・ウィンドウからサブフレームを選択する、ように特に構成されている。
【０４１９】
当然ながら、システム・メッセージ・ウィンドウは拡張され、したがって、システムメッセージを同じシステム・メッセージ・ウィンドウにおいて送信することができる回数も増加し、またその場合には端末デバイスの受信試行回数もしかるべく減少しうる。加えて、端末デバイスの受信試行回数が比較的大きいときには、比較的短いシステムメッセージ周期を選択することもできる。ここでは詳細を繰り返さない。
【０４２０】
端末デバイスは特に、携帯電話、タブレットコンピュータ、パーソナル・コンピュータといったデバイスとすることができる。
【０４２１】
前述の各部分の具体的実装については、前述の実施形態を参照することができ、ここでは詳細を繰り返さない。
【０４２２】
以上からわかるように、本実施形態における端末デバイスは、システム・メッセージ・ウィンドウにおけるシステムメッセージ伝送構成を指示するのに使用される構成情報を決定し、次いで、構成情報によって指示されるリソース上で、基地局デバイスによって送信されたシステムメッセージを受信することができる。本解決策では、端末デバイスはシステム・メッセージ・ウィンドウにおけるシステムメッセージ伝送構成を正確に知ることができ、したがってこれは、端末デバイスが受信結合操作や受信試行操作といった操作を続いて行う助けになり、このため端末デバイスの処理の複雑さを低減させ、カバレッジ拡張効果を向上させることができる。
【０４２３】
当業者は、各実施形態における方法の各ステップの全部または一部を関連ハードウェアに命令するプログラムによって実現することができることを理解するであろう。プログラムはコンピュータ可読記憶媒体に記憶することができる。記憶媒体は、読取り専用メモリ（ROM、Read−Only Memory）、ランダム・アクセス・メモリ（RAM、Random Access Memory）、磁気ディスク、または光ディスクを含むことができる。
【０４２４】
以上では、本発明の実施形態による、システムメッセージのためのネットワーク側デバイス、システム、および方法を詳細に説明している。本明細書では、具体例を使用して本発明の原理および実施態様が説明されている。前述の実施形態の説明は、単に、本発明の方法および中核となる思想の理解を助けるためのものにすぎない。加えて、当業者は、本発明の思想に従えば、具体的な実施態様および適用範囲に対して変更を加えることもできる。したがって、本明細書の概念は、本発明の限定と解釈されるものではない。
【符号の説明】
【０４２５】
101  決定部
102  送信部
201  決定部
202  受信部
700  バス
701  プロセッサ
702  メモリ
703  受信送信インターフェース
800  バス
801  プロセッサ
802  メモリ
803  受信送信インターフェース
【図１ａ】
0006399526.tif 000002
【図１ｂ】
0006399526.tif 000003
【図１ｃ】
0006399526.tif 000004
【図２】
0006399526.tif 000005
【図３】
0006399526.tif 000006
【図４】
0006399526.tif 000007
【図５】
0006399526.tif 000008
【図６】
0006399526.tif 000009
【図７】
0006399526.tif 000010
【図８】
0006399526.tif 000011